(57)【要約】  ネットワークは、拡張サウンディング基準信号（ＳＲＳ）送信技法を使用して、共有スペクトル上の基準信号送信をサポートする場合がある。例えば、ワイヤレスデバイスはアップリンク許可とインジケータとを受信する場合がある。アップリンク許可は、ワイヤレスデバイスへのアップリンクリソース割振りを含む場合があり、インジケータは次の基準信号送信をデバイスに通知する場合がある。ワイヤレスデバイスは、アップリンク許可とインジケータとを使用して、アップリンク許可において割り当てられたリソースに対して基準信号送信期間を決定する場合がある。例えば、ワイヤレスデバイスは、基準信号送信期間がアップリンク送信期間の前、間、又は後であると決定する場合がある。場合によっては、ワイヤレスデバイスは、基準信号送信のために非周期的又は周期的にスケジュールされる場合がある。
2018520568.tif 000002
【特許請求の範囲】
【請求項１】
ワイヤレス通信の方法であって、
共有無線周波数スペクトル帯域に関連付けられたアップリンク送信時間期間を識別することと、
基準信号のアップリンク送信に関連付けられたダウンリンク送信においてインジケータを受信することと、
前記アップリンク送信時間期間に対する基準信号時間期間を識別することと、
識別された前記基準信号時間期間の間に前記共有無線周波数スペクトル帯域にわたって前記基準信号を送信することと
を備える、方法。
【請求項２】
前記アップリンク送信時間期間の最後にあるように前記基準信号時間期間を決定すること
を更に備える、請求項１に記載の方法。
【請求項３】
割り当てられた物理アップリンク共有チャネル（ＰＵＳＣＨ）の最後のシンボル、又は物理アップリンク制御チャネル（ＰＵＣＣＨ）の最後の１つ若しくは２つのシンボルの間にあるように前記基準信号時間期間を決定すること
を更に備える、請求項２に記載の方法。
【請求項４】
前記アップリンク送信時間期間の最初にあるように前記基準信号時間期間を決定すること
を更に備える、請求項１に記載の方法。
【請求項５】
復調基準信号（ＤＭＲＳ）ベースのプリアンブルとして前記基準信号を送信すること
を更に備える、請求項４に記載の方法。
【請求項６】
前記アップリンク送信時間期間の最後の後であるように前記基準信号時間期間を決定すること
を更に備え、前記基準信号時間期間が少なくとも１つのシンボルを備える、請求項１に記載の方法。
【請求項７】
前記アップリンク送信時間期間の最初より前であるように前記基準信号時間期間を決定すること
を更に備える、請求項１に記載の方法。
【請求項８】
チャネル使用ビーコン信号（ＣＵＢＳ）プリアンブルとして前記基準信号を送信すること
を更に備える、請求項７に記載の方法。
【請求項９】
前記基準信号時間期間が、特殊サブフレームの間にあり、少なくとも１つのシンボルを備える、請求項７に記載の方法。
【請求項１０】
特殊物理ダウンリンク制御チャネル（ＰＤＣＣＨ）内で前記インジケータを受信すること
を更に備え、前記特殊ＰＤＣＣＨが前記基準信号を送信するための複数の周波数サブバンドを示す、請求項１に記載の方法。
【請求項１１】
特殊ＰＤＣＣＨ内で前記インジケータを受信すること
を更に備え、前記特殊ＰＤＣＣＨが前記基準信号を送信するようにワイヤレスデバイスに示し、前記ワイヤレスデバイスが前記アップリンク送信時間期間の間に送信するようにスケジュールされていない、請求項１に記載の方法。
【請求項１２】
前記基準信号時間期間が、前記アップリンク送信時間期間に関連付けられた第１のアップリンクサブフレームに対応する、請求項１に記載の方法。
【請求項１３】
前記アップリンク送信時間期間を識別することが、ワイヤレスデバイスにより、前記アップリンク送信時間期間が前記ワイヤレスデバイス向けにスケジュールされていないことを識別することを備え、
前記方法が、前記アップリンク送信時間期間が前記ワイヤレスデバイス向けにスケジュールされていないことに少なくとも部分的に基づいて、特殊サブフレームの一部分の間にあるように前記基準信号時間期間を決定することを更に備える、
請求項１に記載の方法。
【請求項１４】
前記基準信号時間期間が前記アップリンク送信時間期間を備える、請求項１に記載の方法。
【請求項１５】
前記基準信号時間期間がＣＣＡ免除送信時間期間を備える、請求項１に記載の方法。
【請求項１６】
前記ＣＣＡ免除送信時間期間が、アップリンクサブフレームの少なくとも一部分を備え、周期的にスケジュールされる、請求項１５に記載の方法。
【請求項１７】
前記インジケータが、周期性、オフセット、又は周波数ホッピングパターンのうちの少なくとも１つを備える、請求項１に記載の方法。
【請求項１８】
前記基準信号時間期間が特殊サブフレームの一部分を備える、請求項１７に記載の方法。
【請求項１９】
特殊サウンディング基準信号（ＳＲＳ）フレームが前記基準信号時間期間を備える、請求項１７に記載の方法。
【請求項２０】
前記インジケータが、前記特殊ＳＲＳフレームに関連付けられた特殊ＳＲＳフレーム番号を備える、請求項１９に記載の方法。
【請求項２１】
前記基準信号時間期間が、周期的又は非周期的にスケジュールされる、請求項１に記載の方法。
【請求項２２】
受信された前記インジケータに少なくとも部分的に基づいて、前記基準信号時間期間の間に前記基準信号を送信するために、周波数リソースと時間リソースとを識別すること
を更に備える、請求項１に記載の方法。
【請求項２３】
前記インジケータが、ＰＤＣＣＨ又はＰＦＦＩＣＨのうちの１つを介して受信される、請求項１に記載の方法。
【請求項２４】
ワイヤレス通信のための装置であって、
プロセッサと、
前記プロセッサと電子通信しているメモリと、
前記メモリに記憶され、前記プロセッサによって実行されると、
共有無線周波数スペクトル帯域に関連付けられたアップリンク送信時間期間を識別することと、
基準信号のアップリンク送信に関連付けられたダウンリンク送信においてインジケータを受信することと、
前記アップリンク送信時間期間に対する基準信号時間期間を識別することと、
前記識別された基準信号時間期間の間に前記共有無線周波数スペクトル帯域にわたり前記基準信号を送信することと
を前記装置に行わせるように動作可能な命令と
を備える、装置。
【請求項２５】
前記命令が、
前記アップリンク送信時間期間の最後にあるように前記基準信号時間期間を決定すること
を行わせるように動作可能である、請求項２４に記載の装置。
【請求項２６】
前記命令が、
前記アップリンク送信時間期間の最初にあるように前記基準信号時間期間を決定すること
を行わせるように動作可能である、請求項２４に記載の装置。
【請求項２７】
前記命令が、
前記アップリンク送信時間期間の最後の後であるように前記基準信号時間期間を決定すること
を行わせるように動作可能であり、前記基準信号時間期間が少なくとも１つのシンボルを備える、請求項２４に記載の装置。
【請求項２８】
特殊サウンディング基準信号（ＳＲＳ）フレームが前記基準信号時間期間を備える、請求項２４に記載の装置。
【請求項２９】
ワイヤレス通信のための装置であって、
共有無線周波数スペクトル帯域に関連付けられたアップリンク送信時間期間を識別するための手段と、
基準信号のアップリンク送信に関連付けられたダウンリンク送信においてインジケータを受信するための手段と、
前記アップリンク送信時間期間に対する基準信号時間期間を識別するための手段と、
前記識別された基準信号時間期間の間に前記共有無線周波数スペクトル帯域にわたり前記基準信号を送信するための手段と
を備える、装置。
【請求項３０】
前記アップリンク送信時間期間の最後にあるように前記基準信号時間期間を決定するための手段
を更に備える、請求項２９に記載の装置。
【請求項３１】
割り当てられた物理アップリンク共有チャネル（ＰＵＳＣＨ）の最後のシンボル、又は物理アップリンク制御チャネル（ＰＵＣＣＨ）の最後の１つ若しくは２つのシンボルの間にあるように前記基準信号時間期間を決定するための手段
を更に備える、請求項３０に記載の装置。
【請求項３２】
前記アップリンク送信時間期間の最初にあるように前記基準信号時間期間を決定するための手段
を更に備える、請求項２９に記載の装置。
【請求項３３】
復調基準信号（ＤＭＲＳ）ベースのプリアンブルとして前記基準信号を送信するための手段
を更に備える、請求項３２に記載の装置。
【請求項３４】
前記アップリンク送信時間期間の最後の後であるように前記基準信号時間期間を決定するための手段
を更に備え、前記基準信号時間期間が少なくとも１つのシンボルを備える、請求項２９に記載の装置。
【請求項３５】
前記アップリンク送信時間期間の最初より前であるように前記基準信号時間期間を決定するための手段
を更に備える、請求項２９に記載の装置。
【請求項３６】
チャネル使用ビーコン信号（ＣＵＢＳ）プリアンブルとして前記基準信号を送信するための手段
を更に備える、請求項３５に記載の装置。
【請求項３７】
前記基準信号時間期間が、特殊サブフレームの間にあり、少なくとも１つのシンボルを備える、請求項３５に記載の装置。
【請求項３８】
特殊物理ダウンリンク制御チャネル（ＰＤＣＣＨ）内で前記インジケータを受信するための手段
を更に備え、前記特殊ＰＤＣＣＨが前記基準信号を送信するための複数の周波数サブバンドを示す、請求項２９に記載の装置。
【請求項３９】
特殊ＰＤＣＣＨ内で前記インジケータを受信するための手段
を更に備え、前記特殊ＰＤＣＣＨが前記基準信号を送信するようにワイヤレスデバイスに示し、前記ワイヤレスデバイスが前記アップリンク送信時間期間の間に送信するようにスケジュールされていない、請求項２９に記載の装置。
【請求項４０】
前記基準信号時間期間が、前記アップリンク送信時間期間に関連付けられた第１のアップリンクサブフレームに対応する、請求項２９に記載の装置。
【請求項４１】
前記アップリンク送信時間期間を識別するための前記手段が、ワイヤレスデバイスにより、前記アップリンク送信時間期間が前記ワイヤレスデバイス向けにスケジュールされていないことを識別するための手段を備え、
前記装置が、前記アップリンク送信時間期間が前記ワイヤレスデバイス向けにスケジュールされていないことに少なくとも部分的に基づいて、特殊サブフレームの一部分の間にあるように前記基準信号時間期間を決定するための手段を更に備える、
請求項２９に記載の装置。
【請求項４２】
前記基準信号時間期間が前記アップリンク送信時間期間を備える、請求項２９に記載の装置。
【請求項４３】
前記基準信号時間期間がＣＣＡ免除送信時間期間を備える、請求項２９に記載の装置。
【請求項４４】
前記ＣＣＡ免除送信時間期間が、アップリンクサブフレームの少なくとも一部分を備え、周期的にスケジュールされる、請求項４３に記載の装置。
【請求項４５】
前記インジケータが、周期性、オフセット、又は周波数ホッピングパターンのうちの少なくとも１つを備える、請求項２９に記載の装置。
【請求項４６】
前記基準信号時間期間が特殊サブフレームの一部分を備える、請求項４５に記載の装置。
【請求項４７】
特殊サウンディング基準信号（ＳＲＳ）フレームが前記基準信号時間期間を備える、請求項４５に記載の装置。
【請求項４８】
前記インジケータが、前記特殊ＳＲＳフレームに関連付けられた特殊ＳＲＳフレーム番号を備える、請求項４７に記載の装置。
【請求項４９】
前記基準信号時間期間が、周期的又は非周期的にスケジュールされる、請求項２９に記載の装置。
【請求項５０】
受信された前記インジケータに少なくとも部分的に基づいて、前記基準信号時間期間の間に前記基準信号を送信するために、周波数リソースと時間リソースとを識別するための手段
を更に備える、請求項２９に記載の装置。
【請求項５１】
前記インジケータが、ＰＤＣＣＨ又はＰＦＦＩＣＨのうちの１つを介して受信される、請求項２９に記載の装置。
【請求項５２】
ワイヤレス通信のためのコードを記憶する非一時的コンピュータ可読媒体であって、前記コードが、
共有無線周波数スペクトル帯域に関連付けられたアップリンク送信時間期間を識別することと、
基準信号のアップリンク送信に関連付けられたダウンリンク送信においてインジケータを受信することと、
前記アップリンク送信時間期間に対する基準信号時間期間を識別することと、
前記識別された基準信号時間期間の間に前記共有無線周波数スペクトル帯域にわたり前記基準信号を送信することと
を行うように実行可能な命令を備える、非一時的コンピュータ可読媒体。
【発明の詳細な説明】
【技術分野】
【０００１】
相互参照
[0001]本特許出願は、各々が本出願の譲受人に譲渡された、２０１５年５月２２日に出願された「Ｔｅｃｈｎｉｑｕｅｓ  ｆｏｒ  Ｍａｎａｇｉｎｇ  Ｔｒａｎｓｍｉｓｓｉｏｎｓ  ｏｆ  Ｒｅｆｅｒｅｎｃｅ  Ｓｉｇｎａｌｓ」と題する、Ｆａｎらによる米国仮特許出願第６２／１６５，８３５号、及び２０１６年５月１２日に出願された「Ｔｅｃｈｎｉｑｕｅｓ  ｆｏｒ  Ｍａｎａｇｉｎｇ  Ｔｒａｎｓｍｉｓｓｉｏｎｓ  ｏｆ  Ｒｅｆｅｒｅｎｃｅ  Ｓｉｇｎａｌｓ」と題する、Ｆａｎらによる米国特許出願第１５／１５３，４１９号の優先権を主張する。
【０００２】
[0002]以下は、一般に、ワイヤレス通信に関し、より詳細には、共有周波数スペクトル帯域上のサウンディング基準信号（ＳＲＳ）送信を管理するための技法に関する。
【背景技術】
【０００３】
[0003]ワイヤレス通信システムは、音声、ビデオ、パケットデータ、メッセージング、及びブロードキャストなどの様々なタイプの通信コンテンツを提供するために広く展開されている。これらのシステムは、利用可能なシステムリソース（例えば、時間、周波数、及び電力）を共有することにより、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、及び直交周波数分割多元接続（ＯＦＤＭＡ）システムが含まれる。
【０００４】
[0004]例として、第１のワイヤレス多元接続通信システムは、ロングタームエボリューション（ＬＴＥ（登録商標））などの無線アクセス技術（ＲＡＴ）に従って動作する場合があり、各々が、場合によってはユーザ機器（ＵＥ）として知られる複数の通信デバイス向けの通信を同時にサポートする、幾つかの基地局を含む場合がある。基地局は、（例えば、基地局からＵＥへの送信用の）ダウンリンクチャネル上で、及び（例えば、ＵＥから基地局への送信用の）アップリンクチャネル上でＵＥと通信する場合がある。第２のワイヤレス多元接続通信システムは、Ｗｉ−Ｆｉ（登録商標）などの異なるＲＡＴに従って動作する場合があり、各々が複数のモバイルデバイス又はステーション（ＳＴＡ）向けの通信を同時にサポートする、幾つかの基地局又はアクセスポイント（ＡＰ）を含む場合がある。ＡＰは、ダウンストリームリンク及びアップストリームリンク上でＳＴＡと通信する場合がある。場合によっては、両方のタイプの通信システムは、お互いの存在下で動作する場合があり、共有リソースを使用する場合がある。
【０００５】
[0005]一例では、専用無線周波数スペクトル帯域を使用するネットワークは、周期的又は非周期的に、ＵＥに割り当てられた帯域の外側にある帯域についてのチャネル品質を推定するために、ＳＲＳ送信をスケジュールする場合がある。しかしながら、専用スペクトル送信用のネットワークによって使用される非周期的及び周期的なＳＲＳ手順は、共有ネットワーク内のＳＲＳ送信をサポートしない場合がある。従って、専用無線周波数スペクトル帯域を使用するネットワークによって策定されたチャネル推定の品質は下がる場合がある。
【発明の概要】
【０００６】
[0006]ネットワークは、拡張サウンディング基準信号（ＳＲＳ）送信技法を使用して、共有スペクトル上の基準信号送信をサポートする場合がある。例えば、ワイヤレスデバイスはアップリンク許可とインジケータとを受信する場合がある。アップリンク許可は、ワイヤレスデバイスへのアップリンクリソース割振りを含む場合があり、インジケータは次の基準信号送信をデバイスに通知する場合がある。ワイヤレスデバイスは、アップリンク許可とインジケータとを使用して、アップリンク許可において割り当てられたリソースに対して基準信号送信期間を決定する場合がある。例えば、ワイヤレスデバイスは、基準信号送信期間がアップリンク送信期間の前、間、又は後であると決定する場合がある。インジケータは、次の基準信号送信のための時間リソースと周波数リソースとを更に示す場合がある。場合によっては、ワイヤレスデバイスは、基準信号送信のために非周期的又は周期的にスケジュールされる場合がある。
【０００７】
[0007]ワイヤレス通信の方法が記載される。方法は、共有無線周波数スペクトル帯域に関連付けられたアップリンク送信時間期間を識別することと、基準信号のアップリンク送信に関連付けられたダウンリンク送信においてインジケータを受信することと、アップリンク送信時間期間に対する基準信号時間期間を識別することと、識別された基準信号時間期間の間に共有無線周波数スペクトル帯域にわたり基準信号を送信することとを含む場合がある。
【０００８】
[0008]ワイヤレス通信のための装置が記載される。装置は、共有無線周波数スペクトル帯域に関連付けられたアップリンク送信時間期間を識別するための手段と、基準信号のアップリンク送信に関連付けられたダウンリンク送信においてインジケータを受信するための手段と、アップリンク送信時間期間に対する基準信号時間期間を識別するための手段と、識別された基準信号時間期間の間に共有無線周波数スペクトル帯域にわたり基準信号を送信するための手段とを含む場合がある。
【０００９】
[0009]ワイヤレス通信のための更なる装置が記載される。装置は、プロセッサと、プロセッサと電子通信しているメモリと、メモリに記憶され、プロセッサによって実行されると、共有無線周波数スペクトル帯域に関連付けられたアップリンク送信時間期間を識別することと、基準信号のアップリンク送信に関連付けられたダウンリンク送信においてインジケータを受信することと、アップリンク送信時間期間に対する基準信号時間期間を識別することと、識別された基準信号時間期間の間に共有無線周波数スペクトル帯域にわたり基準信号を送信することとを装置に行わせるように動作可能な命令とを含む場合がある。
【００１０】
[0010]ワイヤレス通信のためのコードを記憶する非一時的コンピュータ可読媒体が記載される。コードは、共有無線周波数スペクトル帯域に関連付けられたアップリンク送信時間期間を識別することと、基準信号のアップリンク送信に関連付けられたダウンリンク送信においてインジケータを受信することと、アップリンク送信時間期間に対する基準信号時間期間を識別することと、識別された基準信号時間期間の間に共有無線周波数スペクトル帯域にわたり基準信号を送信することとを行うように実行可能な命令を含む場合がある。
【００１１】
[0011]本明細書に記載された方法、装置、又は非一時的コンピュータ可読媒体の幾つかの例は、アップリンク送信時間期間の最後にあるように基準信号時間期間を決定するためのプロセス、機能、手段、又は命令を更に含む場合がある。追加又は代替として、幾つかの例は、割り当てられた物理アップリンク共有チャネル（ＰＵＳＣＨ）の最後のシンボル、又は物理アップリンク制御チャネル（ＰＵＣＣＨ）の最後の１つ若しくは２つのシンボルの間にあるように基準信号時間期間を決定するためのプロセス、機能、手段、又は命令を含む場合がある。
【００１２】
[0012]本明細書に記載された方法、装置、又は非一時的コンピュータ可読媒体の幾つかの例は、アップリンク送信時間期間の最初にあるように基準信号時間期間を決定するためのプロセス、機能、手段、又は命令を更に含む場合がある。追加又は代替として、幾つかの例は、復調基準信号（ＤＭＲＳ）ベースのプリアンブルとして基準信号を送信するためのプロセス、機能、手段、又は命令を含む場合がある。
【００１３】
[0013]本明細書に記載された方法、装置、又は非一時的コンピュータ可読媒体の幾つかの例は、アップリンク送信時間期間の最後の後であるに基準信号時間期間を決定するためのプロセス、機能、手段、又は命令を更に含む場合があり、基準信号時間期間は少なくとも１つのシンボルを備える。追加又は代替として、幾つかの例は、アップリンク送信時間期間の最初より前であるように基準信号時間期間を決定するためのプロセス、機能、手段、又は命令を含む場合がある。
【００１４】
[0014]本明細書に記載された方法、装置、又は非一時的コンピュータ可読媒体の幾つかの例は、チャネル使用ビーコン信号（ＣＵＢＳ）プリアンブルとして基準信号を送信するためのプロセス、機能、手段、又は命令を更に含む場合がある。追加又は代替として、幾つかの例では、基準信号時間期間は特殊サブフレームの間にあり、少なくとも１つのシンボルを備える。
【００１５】
[0015]本明細書に記載された方法、装置、又は非一時的コンピュータ可読媒体の幾つかの例は、特殊物理ダウンリンク制御チャネル（ＰＤＣＣＨ）内でインジケータを受信するためのプロセス、機能、手段、又は命令を更に含む場合があり、特殊ＰＤＣＣＨは基準信号を送信するための複数の周波数サブバンドを示す。追加又は代替として、幾つかの例は、特殊ＰＤＣＣＨ内でインジケータを受信するためのプロセス、機能、手段、又は命令を含む場合があり、特殊ＰＤＣＣＨは、スケジュールされていないワイヤレスデバイスに基準信号を送信するように示し、ワイヤレスデバイスは、アップリンク送信時間期間の間に送信するようにスケジュールされていない。
【００１６】
[0016]本明細書に記載された方法、装置、又は非一時的コンピュータ可読媒体の幾つかの例では、基準信号時間期間は、アップリンク送信時間期間に関連付けられた第１のアップリンクサブフレームに対応する。追加又は代替として、幾つかの例では、アップリンク送信時間期間を識別することは、ワイヤレスデバイスにより、アップリンク送信時間期間がワイヤレスデバイス向けにスケジュールされていないことを識別することと、アップリンク送信時間期間がワイヤレスデバイス向けにスケジュールされていないことに少なくとも部分的に基づいて、特殊サブフレームの一部分の間にあるように基準信号時間期間を決定することとを備える。
【００１７】
[0017]本明細書に記載された方法、装置、又は非一時的コンピュータ可読媒体の幾つかの例では、基準信号時間期間はアップリンク送信時間期間を備える。追加又は代替として、幾つかの例では、基準信号時間期間はＣＣＡ免除送信時間期間を備える。
【００１８】
[0018]本明細書に記載された方法、装置、又は非一時的コンピュータ可読媒体の幾つかの例では、ＣＣＡ免除送信時間期間はアップリンクサブフレームの少なくとも一部分を備え、周期的にスケジュールされる。追加又は代替として、幾つかの例では、インジケータは、周期性、又はオフセット、又は周波数ホッピングパターンを備える。
【００１９】
[0019]本明細書に記載された方法、装置、又は非一時的コンピュータ可読媒体の幾つかの例では、基準信号時間期間は特殊サブフレームの一部分を備える。追加又は代替として、幾つかの例では、特殊ＳＲＳフレームは基準信号時間期間を備える。
【００２０】
[0020]本明細書に記載された方法、装置、又は非一時的コンピュータ可読媒体の幾つかの例では、インジケータは、特殊ＳＲＳフレームに関連付けられた特殊ＳＲＳフレーム番号を備える。追加又は代替として、幾つかの例では、基準信号時間期間を識別することは、特殊ＳＲＳフレーム番号、又は周期性、又はオフセット、又は周波数ホッピングパターンに少なくとも部分的に基づく。
【００２１】
[0021]本明細書に記載された方法、装置、又は非一時的コンピュータ可読媒体の幾つかの例では、基準信号時間期間は周期的又は非周期的にスケジュールされる。追加又は代替として、幾つかの例は、受信されたインジケータに少なくとも部分的に基づいて、基準信号時間期間の間に基準信号を送信するために、周波数リソースと時間リソースとを識別するためのプロセス、機能、手段、又は命令を更に含む場合がある。
【００２２】
[0022]本明細書に記載された方法、装置、又は非一時的コンピュータ可読媒体の幾つかの例では、アップリンク送信時間期間は少なくとも１つのアップリンクサブフレームを備える。追加又は代替として、幾つかの例では、インジケータはＰＤＣＣＨ又はＰＦＦＩＣＨのうちの１つを介して受信される。
【００２３】
[0023]本明細書に記載された方法、装置、又は非一時的コンピュータ可読媒体の幾つかの例では、ＰＤＣＣＨは、インジケータを備えるアップリンク許可又はダウンリンク許可を備える。追加又は代替として、幾つかの例では、インジケータはＰＦＦＩＣＨ内のビットを設定することによって示される。
【００２４】
[0024]本明細書に記載された方法、装置、又は非一時的コンピュータ可読媒体の幾つかの例では、インジケータは無線リソース制御（ＲＲＣ）メッセージである。追加又は代替として、幾つかの例では、アップリンク送信時間期間を識別することは、受信された時分割複信（ＴＤＤ）構成に少なくとも部分的に基づき、受信されたＴＤＤ構成は、次のアップリンクサブフレームと、ダウンリンクサブフレームと、特殊サブフレームとを示す。
【００２５】
[0025]ワイヤレス通信の方法が記載される。方法は、基準信号を送信するようにスケジュールされるワイヤレスデバイスのセットを識別することと、アップリンク送信時間期間に対する基準信号を送信するための基準信号時間期間を決定することと、決定された基準信号時間期間に関連付けられたワイヤレスデバイスのセットに指示を送信することとを含む場合がある。
【００２６】
[0026]ワイヤレス通信のための装置が記載される。装置は、基準信号を送信するようにスケジュールされるワイヤレスデバイスのセットを識別するための手段と、アップリンク送信時間期間に対する基準信号を送信するための基準信号時間期間を決定するための手段と、決定された基準信号時間期間に関連付けられたワイヤレスデバイスのセットに指示を送信するための手段とを含む場合がある。
[0027]ワイヤレス通信のための更なる装置が記載される。装置は、プロセッサと、プロセッサと電子通信しているメモリと、メモリに記憶され、プロセッサによって実行されると、基準信号を送信するようにスケジュールされるワイヤレスデバイスのセットを識別することと、アップリンク送信時間期間に対する基準信号を送信するための基準信号時間期間を決定することと、決定された基準信号時間期間に関連付けられたワイヤレスデバイスのセットに指示を送信することとを装置に行わせるように動作可能な命令とを含む場合がある。
【００２７】
[0028]ワイヤレス通信のためのコードを記憶する非一時的コンピュータ可読媒体が記載される。コードは、基準信号を送信するようにスケジュールされるワイヤレスデバイスのセットを識別することと、アップリンク送信時間期間に対する基準信号を送信するための基準信号時間期間を決定することと、決定された基準信号時間期間に関連付けられたワイヤレスデバイスのセットに指示を送信することとを行うように実行可能な命令含む場合がある。
【００２８】
[0029]本明細書に記載された方法、装置、又は非一時的コンピュータ可読媒体の幾つかの例は、共有スペクトル上で基準信号を送信するためのプロセス、機能、手段、又は命令を更に含む場合がある。記載されたシステム、方法、装置、又はコンピュータ可読媒体の適用性の更なる範囲は、以下の発明を実施するための形態、特許請求の範囲、及び図面から明らかになる。当業者には説明の範囲内の様々な変更及び修正が明らかになるので、発明を実施するための形態及び具体例は、例示として与えられるものにすぎない。
【００２９】
[0030]以下の図面を参照することにより、本開示の本質及び利点のより一層の理解が実現され得る。添付の図では、同様の構成要素又は特徴は、同じ参照ラベルを有する場合がある。更に、同じタイプの様々な構成要素は、参照ラベルの後に、ダッシュと、同様の構成要素を区別する第２のラベルとを続けることによって区別される場合がある。本明細書において第１の参照ラベルのみが使用される場合、その説明は、第２の参照ラベルにかかわらず、同じ第１の参照ラベルを有する同様の構成要素のいずれにも適用可能である。
【図面の簡単な説明】
【００３０】
【図１】[0031]本開示の様々な態様による、共有スペクトル上の基準信号の送信をサポートするワイヤレス通信システムの一例を示す図。
【図２】[0032]本開示の様々な態様による、共有スペクトル上の基準信号の送信用のワイヤレス通信サブシステムの一例を示す図。
【図３】[0033]本開示の様々な態様による、共有スペクトル上の基準信号の送信用の時分割複信（ＴＤＤ）構成の一例を示す図。
【図４Ａ】[0034]本開示の様々な態様による、共有スペクトル上の基準信号の送信用のサウンディング基準信号（ＳＲＳ）送信方式の一例を示す図。
【図４Ｂ】本開示の様々な態様による、共有スペクトル上の基準信号の送信用のサウンディング基準信号（ＳＲＳ）送信方式の一例を示す図。
【図４Ｃ】本開示の様々な態様による、共有スペクトル上の基準信号の送信用のサウンディング基準信号（ＳＲＳ）送信方式の一例を示す図。
【図４Ｄ】本開示の様々な態様による、共有スペクトル上の基準信号の送信用のサウンディング基準信号（ＳＲＳ）送信方式の一例を示す図。
【図４Ｅ】本開示の様々な態様による、共有スペクトル上の基準信号の送信用のサウンディング基準信号（ＳＲＳ）送信方式の一例を示す図。
【図４Ｆ】本開示の様々な態様による、共有スペクトル上の基準信号の送信用のサウンディング基準信号（ＳＲＳ）送信方式の一例を示す図。
【図４Ｇ】本開示の様々な態様による、共有スペクトル上の基準信号の送信用のサウンディング基準信号（ＳＲＳ）送信方式の一例を示す図。
【図５】[0035]本開示の様々な態様による、共有スペクトル上の基準信号の送信をサポートするプロセスフローの一例を示す図。
【図６】[0036]本開示の様々な態様による、共有スペクトル上の基準信号の送信をサポートするワイヤレスデバイスのブロック図。
【図７】本開示の様々な態様による、共有スペクトル上の基準信号の送信をサポートするワイヤレスデバイスのブロック図。
【図８】本開示の様々な態様による、共有スペクトル上の基準信号の送信をサポートするワイヤレスデバイスのブロック図。
【図９】[0037]本開示の様々な態様による、共有スペクトル上の基準信号の送信をサポートするユーザ機器（ＵＥ）を含むシステムのブロック図。
【図１０】[0038]本開示の様々な態様による、共有スペクトル上の基準信号の送信をサポートするワイヤレスデバイスのブロック図。
【図１１】本開示の様々な態様による、共有スペクトル上の基準信号の送信をサポートするワイヤレスデバイスのブロック図。
【図１２】本開示の様々な態様による、共有スペクトル上の基準信号の送信をサポートするワイヤレスデバイスのブロック図。
【図１３】[0039]本開示の様々な態様による、共有スペクトル上の基準信号の送信をサポートする基地局を含むシステムのブロック図。
【図１４】[0040]本開示の様々な態様による、共有スペクトル上の基準信号の送信のための方法を示す図。
【図１５】本開示の様々な態様による、共有スペクトル上の基準信号の送信のための方法を示す図。
【図１６】本開示の様々な態様による、共有スペクトル上の基準信号の送信のための方法を示す図。
【図１７】本開示の様々な態様による、共有スペクトル上の基準信号の送信のための方法を示す図。
【図１８】本開示の様々な態様による、共有スペクトル上の基準信号の送信のための方法を示す図。
【図１９】本開示の様々な態様による、共有スペクトル上の基準信号の送信のための方法を示す図。
【図２０】本開示の様々な態様による、共有スペクトル上の基準信号の送信のための方法を示す図。
【図２１】本開示の様々な態様による、共有スペクトル上の基準信号の送信のための方法を示す図。
【図２２】本開示の様々な態様による、共有スペクトル上の基準信号の送信のための方法を示す図。
【発明を実施するための形態】
【００３１】
[0041]本開示によれば、ネットワークは、拡張サウンディング基準信号（ＳＲＳ）送信技法を使用して、共有無線周波数スペクトル帯域上の基準信号送信をサポートする場合がある。本開示の態様は、ワイヤレス通信システムのコンテキストで記載される。例えば、非周期的及び周期的なＳＲＳ報告は、共有チャネル上のＳＲＳ送信又は拡張コンポーネントキャリア（ｅＣＣ）を使用することをサポートしない場合がある。従って、ネットワークは、拡張ＳＲＳ報告手順を利用する場合がある。例えば、基地局は、ユーザ機器（ＵＥ）にインジケータを送信する場合があり、ＵＥは、インジケータを使用して共有スペクトルを使用するＳＲＳ送信期間を識別する場合がある。場合によっては、ＵＥは、インジケータを使用して、ＳＲＳ送信期間が共有スペクトル向けにスケジュールされたアップリンク送信時間期間の前、間、又は後であると決定する場合がある。他の場合には、ＵＥは、インジケータに基づいて、ＳＲＳ送信にクリアチャネルアセスメント（ＣＣＡ）免除（ＣＥＴ）リソースが使用される場合があると決定する場合がある。更に別の場合、ＵＥは、インジケータに基づいて、ＳＲＳ送信に特殊ＳＲＳサブフレームが使用される場合があると決定する場合がある。インジケータは、周期的又は非周期的にＳＲＳ送信を実施するようにＵＥを構成する場合もある。周期的な送信の場合、インジケータは、ＵＥにフレーム番号又は特殊ＳＲＳフレーム番号を示すことに加えて、周期性と、オフセットと、周波数ホッピングパラメータとを含む場合がある。
【００３２】
[0042]幾つかの例では、インジケータは、特殊サブフレームの間に、スケジュールされたアップリンク送信時間期間より前に非周期的な送信を送信するようにＵＥを構成する場合がある。インジケータは更に、割り振られた時間リソースと周波数リソースとを使用して送信するようにＵＥに命令する場合がある。ＵＥは、共有チャネル上でＳＲＳを送信するより前に、ＣＣＡを実施すること及び広帯域チャネル使用ビーコン信号（Ｗ−ＣＵＢＳ）を送信することなどの、リッスンビフォアトーク（ＬＢＴ）手順を実施する場合がある。本開示のこれら及び他の態様は更に、装置図、システム図、及びフローチャートによって示され、それらを参照して記載される。
【００３３】
[0043]図１は、本開示の様々な態様による、共有スペクトル上の基準信号の送信をサポートするワイヤレス通信システム１００の一例を示す。ワイヤレス通信システム１００は、基地局１０５と、ＵＥ１１５と、ＡＰ１５０と、ＳＴＡ１５５と、コアネットワーク１３０とを含む。幾つかの例では、ワイヤレス通信システム１００は、ロングタームエボリューション（ＬＴＥ）／ＬＴＥアドバンスト（ＬＴＥ−Ａ）ネットワークであり得る。
【００３４】
[0044]基地局１０５は、１つ又は複数の基地局アンテナを介してＵＥ１１５とワイヤレスに通信する場合がある。基地局１０５の各々は、それぞれの地理的カバレージエリア１１０に通信カバレージを提供する場合がある。ワイヤレス通信システム１００に示されている通信リンク１２５は、ＵＥ１１５から基地局１０５へのアップリンク（ＵＬ）送信、又は基地局１０５からＵＥ１１５へのダウンリンク（ＤＬ）送信を含む場合がある。基地局１０５は、共有スペクトル上の通信向けのサウンディング基準信号をサポート及び利用する場合がある。例えば、基地局１０５は、バックホールリンク１３２（例えば、Ｓ１など）を介してコアネットワーク１３０とインターフェースする場合がある。基地局１０５はまた、直接的又は間接的（例えば、コアネットワーク１３０を介して）のいずれかでバックホールリンク１３４（例えば、Ｘ１など）を介して互いに通信する場合がある。基地局１０５は、ＵＥ１１５との通信のための無線構成とスケジューリングとを実施する場合があるか、又は基地局コントローラ（図示せず）の制御下で動作する場合がある。様々な例では、基地局１０５は、マクロセル、スモールセル、ホットスポットなどであり得る。基地局１０５は、幾つかの例では、ｅノードＢ（ｅＮＢ）と呼ばれる場合もある。
【００３５】
[0045]ＵＥ１１５は、ワイヤレス通信システム１００全体にわたって分散される場合があり、各ＵＥ１１５は固定又はモバイルであり得る。ＵＥ１１５は、移動局、加入者局、リモートユニット、ワイヤレスデバイス、アクセス端末、ハンドセット、ユーザエージェント、クライアント、又は他の何らかの適切な用語で呼ばれる場合もある。ＵＥ１１５はまた、携帯電話、ワイヤレスモデム、ハンドヘルドデバイス、パーソナルコンピュータ、タブレット、パーソナル電子デバイス、マシン型通信（ＭＴＣ）デバイスなどであり得る。ＵＥ１１５はまた、サウンディング基準信号を利用して、共有スペクトル上で基地局１０５と通信する場合がある。
【００３６】
[0046]ＵＥ１１５は、キャリアアグリゲーション（ＣＡ）構成において複数のキャリアで構成される場合があり、通信リンク１２５は、そのようなマルチキャリアＣＡ構成を表す場合がある。キャリアは、コンポーネントキャリア（ＣＣ）、レイヤ、チャネルなどと呼ばれる場合もある。「コンポーネントキャリア」という用語は、ＣＡ動作においてＵＥ１１５によって利用される複数のキャリアの各々を指す場合があり、システム帯域幅の他の部分とは別個であり得る。例えば、ＣＣは、独立して、又は他のコンポーネントキャリアと組み合わせて利用されることが可能である、比較的狭い帯域幅のキャリアであり得る。各ＣＣは、ＬＴＥ規格のリリース（release）８又はリリース９に基づく分離キャリアと同じ能力を与える場合がある。複数のコンポーネントキャリアは、より大きい帯域幅、例えば、より高いデータレートを幾つかのＵＥ１１５に提供するために、アグリゲート（集約）されるか、又は同時に利用される場合がある。従って、個々のＣＣは、従来のＵＥ１１５（例えば、ＬＴＥリリース８又はリリース９を実装するＵＥ１１５）との後方互換性があり得るが、他のＵＥ１１５（例えば、リリース８／９後のＬＴＥバージョンを実装するＵＥ１１５）は、マルチキャリアモードにおいて複数のコンポーネントキャリアで構成される場合がある。ＤＬに使用されるキャリアはＤＬ  ＣＣと呼ばれる場合があり、ＵＬに使用されるキャリアはＵＬ  ＣＣと呼ばれる場合がある。ＵＥ１１５は、キャリアアグリゲーションのために、複数のＤＬ  ＣＣ及び１つ又は複数のＵＬ  ＣＣで構成される場合がある。各キャリアは、制御情報（例えば、基準信号、制御チャネルなど）、オーバーヘッド情報、データなどを送信するために使用される場合がある。場合によっては、ＵＥ１１５は、広帯域送信に拡張ＣＣ（ｅＣＣ）を利用する場合がある。ｅＣＣは、上述されたように、他のｅＣＣ又はＣＣと同様にアグリゲートされる場合がある。
【００３７】
[0047]ＵＥ１１５は、複数のキャリアを利用して単一の基地局１０５と通信する場合があり、様々なキャリア上で同時に複数の基地局と通信する場合もある。基地局１０５の各セルは、ＵＬ  ＣＣとＤＬ  ＣＣとを含む場合がある。基地局１０５用の各サービングセルのカバレージエリア１１０は、異なる場合がある（例えば、異なる周波数帯域上のＣＣは、異なる経路損失に遭遇する場合がある）。幾つかの例では、あるキャリアは、１次セル（ＰＣｅｌｌ）によってサービスされる場合があるＵＥ１１５のために、１次キャリア又は１次コンポーネントキャリア（ＰＣＣ）として指定される。１次セルは、ＵＥごとに上位レイヤ（例えば、無線リソース制御（ＲＲＣ）など）によって半静的に構成される場合がある。ある特定のアップリンク制御情報（ＵＣＩ）、例えば、物理アップリンク制御チャネル（ＰＵＣＣＨ）上で送信されるＡＣＫ／ＮＡＣＫ、チャネル品質インジケータ（ＣＱＩ）、及びスケジューリング情報は、１次セルによって搬送される。２次セル（ＳＣｅｌｌ）によってサービスされる場合がある２次キャリア又は２次コンポーネントキャリア（ＳＣＣ）として、更なるキャリアが指定される場合がある。２次セルは、同様に、ＵＥごとに半静的に構成される場合がある。場合によっては、２次セルは、１次セルと同じ制御情報を含まないか、又はそれを送信するように構成されない場合がある。
【００３８】
[0048]幾つかの例では、ワイヤレス通信システム１００は、第１の無線アクセス技術（例えば、ＬＴＥ／ＬＴＥ−Ａ技術などのセルラー無線アクセス技術）に従って動作するが、第２の無線アクセス技術（例えば、Ｗｉ−Ｆｉ技術）に従って動作する１つ又は複数のネットワーク又はノードの存在下で動作する場合がある。例として、図１は、Ｗｉ−Ｆｉステーション（ＳＴＡ）１５５と通信しているＷｉ−Ｆｉアクセスポイント（ＡＰ）１５０から構成されるネットワークを示す。幾つかの例では、ＵＥ１１５又は基地局１０５は、Ｗｉ−Ｆｉによって使用される無認可帯域内の動作をサポートする場合がある。ＳＴＡ１５５又はＡＰ１５０は、ＬＴＥをサポートする場合があるが、無認可帯域内のＬＴＥ動作向けに構成されていない場合があるＷｉ−Ｆｉデバイスであり得る。明確にするために、共有帯域内のＬＴＥ動作をサポートするデバイスは、基地局１０５又はＵＥ１１５と呼ばれ、サポートしないデバイスは、ＡＰ１５０又はＳＴＡ１５５と呼ばれる。
【００３９】
[0049]Ｗｉ−Ｆｉネットワークでは、ＡＰ１５０は、共有無線周波数スペクトル上で複数のＳＴＡ１５５と通信する場合がある。ＳＴＡ１５５は、通信リンクを確立するより前に１つ又は複数の制御フレームを通信することを含む競合手順を使用する場合があり、その結果、制御フレームの交換を介する通信リンクの構成により、近くの通信デバイスが遭遇する干渉が制限される。そのような技法の一例には、送信要求（ＲＴＳ）及び送信可（ＣＴＳ）のメッセージングが含まれ、例えば、別のデバイス（例えば、別のＳＴＡ１５５又はＡＰ１５０）と通信しようとするＳＴＡ１５５は、最初にそのデバイスにＲＴＳフレームを送る場合がある。受信側デバイスがＲＴＳフレームを受信するとすぐに、受信側デバイスは、ＣＴＳフレームを送ることによって通信リンクを確認する場合がある。ＣＴＳフレームがＳＴＡ１５５によって受信された後、ＳＴＡ１５５は、次いで、受信側デバイスにデータを送信することを開始する場合がある。このようにして、ＲＴＳ／ＣＴＳメッセージングは、ＳＴＡ１５５又はＡＰ１５０などのデバイスがＡＰ１５０又はＳＴＡ１５５にデータを送信する前に通信パスを本質的にクリアすることを可能にすることにより、フレーム衝突を削減することができる。
【００４０】
[0050]ＬＴＥネットワークでは、基地局１０５及びＵＥ１１５は、セルラーネットワークの専用周波数スペクトル上、又は無線周波数スペクトルの異なる周波数帯域（例えば、専用無線周波数帯域及び共有無線周波数帯域）にわたり通信する場合がある。Ｗｉ−Ｆｉとは異なり、基地局１０５は、専用スペクトルを使用するＬＴＥネットワーク内で、基地局１０５とＵＥ１１５との間のアップリンク通信とダウンリンク通信とを調整する場合がある。例えば、基地局１０５は、アップリンクリソースを区分化し、複数のＵＥ１１５に割り振る場合があり、その結果、各ＵＥ１１５は、互いからの干渉なしにアップリンクデータを同時に送信する場合がある。従って、ＬＴＥネットワークは、複数のＵＥ１１５からの送信間の衝突を防止するために、Ｗｉ−Ｆｉにおいて使用される競合解消手順を採用しない場合がある。専用（例えば、認可）無線周波数帯域を使用するセルラーネットワーク内のデータトラフィックの増加とともに、少なくとも幾つかのデータトラフィックの共有無線周波数スペクトルへのオフローディングは、拡張データ送信容量のための機会をセルラー事業者に与える場合がある。共有無線周波数スペクトルはまた、専用無線周波数スペクトルへのアクセスが利用可能でないエリア内でサービスを提供する場合がある。
【００４１】
[0051]共有周波数帯域を利用するために、ＬＴＥネットワークは、ＬＴＥ固有競合ベース手順（例えば、ＬＢＴ）を実施して、Ｗｉ−Ｆｉネットワークと共存する場合がある。ＬＢＴ手順は、共有周波数帯域にわたり送信するより前にクリアチャネルアセスメント（ＣＣＡ）を実施することを含む場合がある。ＣＣＡ手順の間、ＵＥ１１５又は基地局１０５は、チャネルがある特定の継続時間の間占有されているかどうかを決定するために、共有周波数帯域を監視する場合がある。チャネルが継続時間の間アイドルのままである場合、ＵＥ１１５又は基地局１０５は送信を開始する場合がある。その間ＵＥ１１５が４と３２との間のランダムな整数Ｎを選択し、Ｎ回のＣＣＡ手順を実施する、拡張ＣＣＡ（ｅＣＣＡ）が利用される場合もある。次いで、Ｎ回のＣＣＡ手順の間チャネルが空いている場合、ＵＥ１１５は媒体上で送信する場合がある。送信を検出したＬＴＥデバイス及びワイヤレスローカルエリアネットワーク（ＷＬＡＮ）デバイスは、それに応じて、媒体にアクセスするように試みることを控える場合がある。場合によっては、ＵＥ１１５又は基地局１０５は、ＣＣＡを実施した後、データ送信より前に、ＬＴＥベースのプリアンブル（例えば、チャネル使用ビーコン信号（ＣＵＢＳ））を送信する場合がある。プリアンブルは、他のＬＴＥデバイスによって受信及び復号され、Ｗｉ−Ｆｉデバイスによって検出される。ＬＴＥベースのプリアンブルは、共有スペクトル上のＷｉ−Ｆｉ送信からＬＴＥ送信を区別するために使用される場合がある。ＣＵＢ及び以後の送信は、共有チャネルの少なくとも８０％を占有するように、インターレース及びリソースインデックス付けされる場合がある。幾つかの例では、ＬＴＥデバイスは、その間デバイスがＣＣＡ手順を観察せずに送信するＣＣＡ免除送信（ＣＥＴ）を使用して、ＬＢＴ手順をバイパスする場合がある。ＣＥＴ送信は、ＣＥＴ送信の間使用することができる時間リソース又は周波数リソースの最大継続時間又は最大割合などの、様々なＣＥＴ規則に準拠する場合がある。一例では、ＣＥＴ送信は５％の最大デューティサイクルを有する。
【００４２】
[0052]場合によっては、ＬＴＥネットワークは、共有スペクトル上の送信にｅＣＣを利用する場合がある。ｅＣＣは、１次ＣＣ若しくは１次ｅＣＣのいずれかとアグリゲートされる場合があるか、又は共有チャネル若しくは専用チャネル上の独立型通信に使用される場合がある。ｅＣＣは、より広い帯域幅、より短いシンボル継続時間、より短い送信時間間隔（ＴＴＩ）、及び修正された制御チャネル構成を含む、１つ又は複数の特徴によって特徴づけられる場合がある。場合によっては、ｅＣＣは、キャリアアグリゲーション（ＣＡ）構成又は（例えば、複数のサービングセルが準最適なバックホールリンクを有するときの）デュアル接続性構成に関連付けられる場合がある。ｅＣＣは、（例えば、２つ以上の事業者がスペクトルを使用することを許可された場合）無認可スペクトル又は共有スペクトルにおいて使用するために構成される場合がある。広い帯域幅によって特徴づけられるｅＣＣは、全帯域幅を監視することが可能でないか、又は（例えば、電力を節約するために）限られた帯域幅を使用することを選好するＵＥ１１５によって利用される場合がある、１つ又は複数のセグメントを含む場合がある。ｅＣＣは、動的時分割複信（ＴＤＤ）動作を利用する場合がある（即ち、ｅＣＣは、動的な条件に従って短いバーストのためにＤＬ動作からアップリンク（ＵＬ）動作に切り替わる場合がある）。より短いシンボル継続時間は、増加されたサブキャリア間隔に関連付けられる場合がある。ｅＣＣを利用するＵＥ１１５又は基地局１０５などのデバイスは、縮小されたシンボル継続時間（例えば、１６．６７μｓ）において広帯域信号（例えば、２０、４０、６０、８０ＭＨｚなど）を送信する場合がある。
【００４３】
[0053]ＬＴＥネットワークは、双方向通信に周波数分割複信（ＦＤＤ）又はＴＤＤを使用する場合がある。ＦＤＤ動作は、同時アップリンク／ダウンリンク送信を可能にする場合がある。例えば、ＴＤＤ動作がアップリンク送信とダウンリンク送信との間を時間的に切り替える場合があるのに対して、ＦＤＤは、周波数スペクトルリソースの一部分をダウンリンク通信に割り振り、周波数スペクトルリソースの別の部分を同時アップリンク通信に割り振る場合がある。例えば、ＴＤＤは、第１の継続時間の間、利用可能な周波数スペクトルリソースをダウンリンク通信に割り振り、次いで、第２の継続時間の間、利用可能な周波数スペクトルリソースをアップリンク通信に割り振る場合がある。一例では、ＴＤＤ構成は、サブフレームの第１のセットをダウンリンク送信に割り振り、サブフレームの第２のセットをアップリンク送信に割り振る場合がある。ＴＤＤ構成は更に、送信モード間の切替えを容易にするために、ダウンリンク通信とアップリンク通信との間に特殊サブフレームを含む場合がある。特殊サブフレームは、ダウンリンクパイロットタイムスロット（ＤｗＰＴＳ）と、ガード期間（ＧＰ）と、アップリンクパイロットタイムスロット（ＵｐＰＴＳ）とを含む場合がある。ｅＣＣは幾つかのＴＤＤ構成を利用する場合があり、その一例が下記に与えられる。
【００４４】
[0054]ＬＴＥネットワークは、ＵＥ１１５に割り当てられた帯域幅の外側にある帯域幅についてのチャネル品質を推定するために、ＳＲＳ送信をスケジュールする場合がある。ＳＲＳは、周期的又は非周期的のいずれかでネットワークによってスケジュールされる場合がある。周期的なＳＲＳスケジューリングは、指定されたＳＲＳサブフレーム内のＳＲＳ報告についての周期性と、オフセットと、周波数ホッピングとを含む、ＲＲＣメッセージで構成される場合がある。非周期的なＳＲＳトリガリングは、物理ダウンリンク制御チャネル（ＰＤＣＣＨ）に含まれる場合があり、ＵＥ１１５からの１回のＳＲＳ送信をトリガするために使用される場合がある。非周期的なＳＲＳ送信は、（例えば、ＵｐＰＴＳの間）アップリンクサブフレーム及び特殊サブフレーム内でスケジュールされる場合がある。しかしながら、専用スペクトル送信用のＬＴＥネットワークによって使用される非周期的及び周期的なＳＲＳ手順は、共有ネットワーク内のＳＲＳ送信をサポートしない場合がある。例えば、ＳＲＳ手順は、ＬＢＴ手順と互換性がない場合があり、ｅＣＣを使用する送信をサポートしない場合がある。一例では、ＬＴＥベースの周期的なＳＲＳ報告は、共有媒体へのアクセスを勝ち取るように試みるＵＥ１１５に関連付けられた様々な継続時間に起因して、失敗する場合がある。更に、ＬＴＥベースの非周期的なＳＲＳ報告は、共有スペクトルの制御を保持するために使用される連続送信規格を維持することに失敗する場合がある。加えて、場合によっては、共有スペクトル上の送信は、ダウンリンク送信とアップリンク送信との間に特殊サブフレームを含まない場合がある。
【００４５】
[0055]このようにして、ＬＴＥネットワークは、拡張ＳＲＳ送信技法を使用して共有スペクトル上のＳＲＳ送信をサポートする場合がある。例えば、ＵＥ１１５は、共有周波数帯域に関連付けられたアップリンク送信時間期間（例えば、アップリンクサブフレーム）を識別する場合がある。ＵＥ１１５は、次いで、基準信号のアップリンク送信（例えば、ＳＲＳ送信）に関連付けられた情報を含むインジケータを基地局１０５から受信する場合がある。ＵＥ１１５は、インジケータ内で受信された情報を使用して、識別されたアップリンク送信時間期間に対する基準信号送信用の時間期間を決定する場合がある。例えば、ＵＥ１１５は、基準信号送信期間がアップリンク送信期間の前、間、又は後であると決定する場合がある。インジケータは更に、ＵＥ１１５に時間リソースと周波数リソースとを示す場合がある。ＵＥ１１５は、次いで、示されたリソースを使用して、基準信号送信時間期間の間に基準信号を送信する場合がある。
【００４６】
[0056]図２は、本開示の様々な態様による、共有スペクトル上の基準信号の送信用のワイヤレス通信サブシステム２００の一例を示す。基地局１０５−ａ、ＵＥ１１５−ａ−１、及びＵＥ１１５−ａ−２は、通信リンク２０５を介して、専用スペクトル（例えば、認可スペクトル）、共有スペクトル（例えば、無認可スペクトル）、又は両方を使用して互いに通信する場合がある。例えば、基地局１０５−ａは、ｅＣＣ上の通信リンク２０５−ｂを介して、共有スペクトルを使用してＵＥ１１５−ａ−１及びＵＥ１１５−ａ−２と通信する場合がある。
【００４７】
[0057]基地局１０５は、ｅＣＣを使用して共有チャネル上で基準信号を送信するように、複数のＵＥ１１５を非周期的又は周期的にスケジュールする場合がある。一例では、基地局１０５−ａは、ＵＥ１１５−ａ−２向けのＳＲＳ送信を非周期的にスケジュールする場合がある。基地局１０５−ａは、ＣＣＡの実施を成功させ、共有チャネル上で送信を開始する場合がある。送信は、ＵＥ１１５−ａ−１及び／又はＵＥ１１５−ａ−２に対する許可（例えば、ダウンリンク許可又はアップリンク許可）をＰＤＣＣＨ内に含む場合がある。許可は、ダウンリンクデータを見出すところと、アップリンクデータを送信するところとをＵＥ１１５−ａ−１及びＵＥ１１５−ａ−２に知らせる場合があり、ＳＲＳ送信時間期間を示すインジケータを含む場合もある。基地局１０５−ａは、インジケータを使用して、ＵＥ１１５−ａ−１及び／又はＵＥ１１５−ａ−２に割り当てられたアップリンクリソースに対する（例えば、それの前、間、又は後の）ＳＲＳ送信時間期間をスケジュールする場合がある。場合によっては、ＳＲＳ送信時間期間は、割り当てられたアップリンクリソースの間に含まれ、それを使用する場合がある。インジケータは更に、ＳＲＳ送信用にＵＥ１１５−ａ−１及びＵＥ１１５−ａ−２に周波数リソース（例えば、広帯域又は狭帯域）を割り振る場合がある。例えば、ＵＥ１１５−ａ−１及びＵＥ１１５−ａ−２は、ダウンリンク許可を受信し、インジケータを使用して、基準信号をどこにいつ送信するべきかを決定する場合がある。ＵＥ１１５−ａ−１及びＵＥ１１５−ａ−２は、各々ＣＣＡを実施し、受信されたインジケータに基づいて、時間リソースと周波数リソースとを使用してＳＲＳを送信する場合がある。別の例では、インジケータは、ＣＥＴリソースを使用してＳＲＳを送信するように、ＵＥ１１５−ａ−１及びＵＥ１１５−ａ−２に指示する場合がある。
【００４８】
[0058]追加又は代替として、基地局１０５−ａは、サウンディング基準信号送信のためにＵＥ１１５−ａ−１及びＵＥ１１５−ａ−２を周期的にスケジュールする場合がある。上記と同様に、基地局１０５−ａは、ＣＣＡを実施し、共有チャネル上で送信を開始する場合がある。送信は、ＵＥ１１５−ａ−１及びＵＥ１１５−ａ−２に宛てられたインジケータ（例えば、ＲＲＣメッセージ）を含む場合がある。ＲＲＣメッセージは、周期性、オフセット、及び周波数ホッピングパターンの情報を含む場合があり、ある特定のサブフレーム（例えば、特殊ＳＲＳサブフレーム又は特殊サブフレーム）をＳＲＳ送信に割り振る場合がある。基地局１０５−ａは、ＵＥ１１５−ａ及びＵＥ１１５−ｂが周期性とオフセットとを計算するために使用する場合があるＳＲＳフレーム番号を、ＵＥ１１５−ａ−１及びＵＥ１１５−ａ−２に提供する場合がある。
【００４９】
[0059]図３は、本開示の様々な態様による、共有スペクトル上の基準信号の送信用のＴＤＤ構成３００の一例を示す。ＴＤＤ構成３００は、図１〜図２を参照して上述されたＵＥ１１５と基地局１０５との間の送信の態様を示す場合がある。ＴＤＤ構成３００は、アップリンク送信とダウンリンク送信との間の切替えを容易にするために、ダウンリンク送信３１０、アップリンク送信３１５、及び／又は特殊サブフレーム３２０向けに指定される場合があるサブフレーム３０５を含む場合がある。アップリンク送信３１５は、幾つかのＵＥ１１５に割り振られたサブバンド３７０に分割される場合がある。ＵＥ１１５はまた、特殊サブフレーム３２０のガード期間３３０の間に、ある特定のサブバンド３７０向けのＣＣＡ３４５を実施する場合がある。特別サブフレーム３２０は、ＤｗＰＴＳ３２５と、ガード期間３３０と、ＵｐＰＴＳ３３５とを含む場合がある。基地局１０５は、アップリンク送信３１５の前、間、又は後に基準信号送信３４０をスケジュールする場合がある。
【００５０】
[0060]一例では、ＤｗＰＴＳ３２５は、ダウンリンクパイロット送信に幾つかのシンボル期間（例えば、１０個のシンボル）を割り振られる場合があり、ＵｐＰＴＳ３３５は、アップリンクパイロット送信に幾つかのシンボル期間（例えば、２つのシンボル）を割り振られる場合がある。場合によっては、ＵｐＰＴＳは、物理ランダムアクセスチャネル（ＰＲＡＣＨ）送信又はスケジューリング要求（ＳＲ）送信に使用される場合がある。ガード期間３３０は、ダウンリンク送信とアップリンク送信との間の切替え時間として使用される場合があり、場合によっては、継続時間が３シンボル期間であり得る。しかしながら、ＤｗＰＴＳ３２５、ガード期間３３０、又はＵｐＰＴＳ３３５のうちのいずれかに割り振られるシンボルの数は、ＴＤＤ構成に基づいて変化する場合がある。基地局１０５は、ＴＤＤ構成３００に従って、ｅＣＣを使用してデータを送信する場合がある。ＵＥ１１５へのｅＣＣ上のダウンリンク送信３１０は、広い帯域幅（例えば、８０ＭＨｚ）を利用する場合があるが、ＵＥ１１５は、サブバンド３７０上のアップリンク送信３１５に小さい帯域幅（例えば、２０ＭＨｚ）を使用して応答する場合がある。しかしながら、場合によっては、ＵＥ１１５はｅＣＣ上で広い帯域幅を用いて応答する場合がある。
【００５１】
[0061]共有チャネル上の送信の場合、基地局１０５は、ダウンリンク送信３１０を送信するより前にＣＣＡを実施する場合がある。ダウンリンク送信３１０は、物理ダウンリンク共有チャネル（ＰＤＳＣＨ）に加えて、ＰＤＣＣＨ又は物理フォーマットフレームインジケータチャネル（ＰＦＦＩＣＨ）を含む場合がある。ＰＤＳＣＨはユーザデータを含む場合があるが、ＰＤＣＣＨ又はＰＦＦＩＣＨは、ＵＥ１１５のための制御データを含む場合がある。例えば、ＰＤＣＣＨ又はＰＦＦＩＣＨは、図２を参照して上述されたように、基準信号送信３４０用のインジケータを含む場合がある。基地局１０５は、アップリンク送信３１５に対して基準信号送信３４０がどこに位置するかを決定し、それに応じてインジケータを作成する場合がある。場合によっては、基準信号は１〜２シンボル期間延びる場合があり、基準信号送信３４０は１シンボル期間からサブフレーム３０５の期間まで延びる場合がある。ＵＥ１１５は、受信されたインジケータを使用して、アップリンク送信３１５に対して基準信号送信３４０に割り振られる時間期間を決定し、基準信号（例えば、ＳＲＳ）を送信する場合がある。場合によっては、ＵＥ１１５は、共有チャネル上で送信するより前にＣＣＡ３４５を実施する場合がある。ＵＥ１１５は更に、共有チャネルを確保するために、ＣＣＡが成功した後、アップリンク送信より前に、ＣＵＢＳ（例えば、Ｗｉ−Ｆｉ  ＣＵＢＳ（Ｗ−ＣＵＢＳ））を送信する場合がある。Ｗ−ＣＵＢＳは、ＬＴＥデバイスとＷＬＡＮデバイスの両方によって復号され得るプリアンブルであり得る。
【００５２】
[0062]図４Ａは、本開示の様々な態様による、共有スペクトル上の基準信号の送信用のＳＲＳ送信方式４００−ａの一例を示す。ＳＲＳ送信方式４００−ａは、図１〜図３を参照して上述されたＵＥ１１５と基地局１０５との間の送信の態様を示す場合がある。ＳＲＳ送信方式４００−ａは、アップリンク送信とダウンリンク送信との間の切替えを可能にするために、ダウンリンク送信４１０、アップリンク送信４１５、及び特殊サブフレーム４２０向けに指定される場合があるサブフレーム４０５を含む場合がある。ＳＲＳ送信方式４００−ａは、ＳＲＳ送信４２５を更に含む場合がある。場合によっては、共有スペクトル上の送信は、特殊サブフレーム４２０を含まない場合があるが、その間にＵＥ１１５がチャネルへのアクセスを競合する場合がある送信ギャップ（例えば、ダウンリンク送信とアップリンク送信のどちらもＵＥ１１５又は基地局１０５によって実施されない期間）を含む場合がある。
【００５３】
[0063]図４Ａの例では、基地局１０５は、割り当てられたアップリンク送信４１５の最後にＳＲＳを送信するようにスケジュールされる１つ又は複数のＵＥ１１５を識別する場合がある。基地局１０５は、物理アップリンク共有チャネル（ＰＵＳＣＨ／ＰＵＣＣＨ）割当ての最後にＳＲＳ送信４２５を実施するように、識別されたＵＥ１１５を非周期的にトリガするインジケータをダウンリンク送信４１０内に含む場合がある。場合によっては、インジケータは（例えば、アップリンク許可又はダウンリンク許可を介して）ＰＤＣＣＨに含まれ、他の場合には、インジケータはＰＦＦＩＣＨに含まれる。例えば、ＰＦＦＩＣＨは、ＵＥ１１５がＳＲＳを送信するようにスケジュールされているか否かを示すために設定される場合があるビットを含む場合がある。他の場合には、インジケータは、ＳＲＳ送信４２５を送信するためのサブバンドをＵＥ１１５に示す特殊ＰＤＣＣＨに含まれ、サブバンドは、そのＵＥ１１５用のＰＵＣＣＨ又はＰＵＳＣＨに割り振られたサブバンドとは異なる場合がある。
【００５４】
[0064]１つ又は複数のＵＥ１１５は更に、インジケータを受信する場合があり、場合によっては、（例えば、アップリンク送信４１５内で）ＰＵＳＣＨ送信及び／又はＰＵＣＣＨ送信をスケジュールするアップリンク許可を受信する場合がある。場合によっては、アップリンク許可は、アップリンク送信４１５全体を通してＵＥ１１５にアップリンクリソースを割り振る場合がある。ＵＥ１１５は、ＳＲＳ送信期間４２５がアップリンク送信４１５の最後に（例えば、ＰＵＳＣＨ／ＰＵＣＣＨ割当ての最後に）位置すると決定する場合がある。ＵＥ１１５は、受信されたインジケータ及びアップリンクリソース割当てに基づいて、割り当てられたＰＵＳＣＨの最後のシンボルの間、及び／又は割り当てられたＰＵＣＣＨの最後の１つ若しくは２つのシンボルの間に、ＳＲＳ送信４２５を送信する場合がある。場合によっては、ＵＥ１１５は、アップリンク送信４１５より前にＣＣＡを実施する場合がある。ＣＣＡが成功した後、ＵＥ１１５はその後、アップリンク送信４１５の間にデータを送信し、アップリンク送信４１５が終わると、ＳＲＳ送信４２５の間にＳＲＳを送信する場合がある。場合によっては、ＵＥ１１５は、３つのアップリンクサブフレーム４０５のうちの２つのためのＰＵＳＣＨ／ＰＵＣＣＨリソースが割り当てられる場合がある。この場合、ＵＥ１１５は、ＳＲＳ送信４２５より前に、上記のようにＣＣＡ手順を実施する場合があり、割り当てられたＰＵＳＣＨ／ＰＵＣＣＨの１つ又は２つのシンボル内でＳＲＳを送信する場合がある。例えば、複数のＵＥ１１５が同じサブバンドにわたり送信するようにスケジュールされた場合、第１のＵＥ１１５は２つのアップリンクサブフレームの間に送信するようにスケジュールされる場合があり、第２のＵＥは３つのアップリンクサブフレームの間に送信するようにスケジュールされる。第１のＵＥ１１５は、次いで、（２番目のアップリンクサブフレームの最後に）ＳＲＳ送信４２５より前にＳＲＳを送信する場合があり、第２のＵＥ１１５はＳＲＳ送信４２５の間に送信する場合がある。
【００５５】
[0065]ＳＲＳは、アンプリコードされた復調基準信号（ＤＭＲＳ）波形として送信される場合があり、時間的に１〜２シンボル期間延びる場合がある。ＳＲＳ送信４２５は更に、チャネルを完全に占有（例えば、チャネルの少なくとも８０％を占有）し、複数のＵＥ１１５からの複数のＳＲＳ送信をサポートするために、インターリーブ及びリソースインデックス付けされる場合がある。ＳＲＳ送信４２５は、ＰＵＳＣＨ、ＰＵＣＣＨ、ＰＲＡＣＨ、又はＳＲなどのような他のアップリンク送信とインターリーブされる場合がある。ＵＥ１１５は、ＰＵＣＣＨ又はＰＵＳＣＨの間に発生するＳＲＳ送信４２５のまわりでレートマッチングする場合がある。場合によっては、ＳＲＳ送信４２５は、更なるＵＥ１１５に適応するために、ＣＤＭ技法、ＦＤＭ技法、及び／又は時分割多重化（ＴＤＭ）技法を使用して送信される場合がある。場合によっては、ＰＵＣＣＨの間のＳＲＳ送信４２５の送信は、制御信号とは異なる電力における送信であり得る。
【００５６】
[0066]図４Ｂは、本開示の様々な態様による、共有スペクトル上の基準信号の送信用のＳＲＳ送信方式４００−ｂの一例を示す。ＳＲＳ送信方式４００−ｂは、図１〜図４Ａを参照して上述されたＵＥ１１５と基地局１０５との間の送信の態様を示す場合がある。ＳＲＳ送信方式４００−ｂは、アップリンク送信とダウンリンク送信との間の切替えを可能にするために、ダウンリンク送信４１０−ａ、アップリンク送信４１５−ａ、及び特殊サブフレーム４２０−ａ向けに指定される場合があるサブフレーム４０５−ａを含む場合がある。ＳＲＳ送信方式４００−ｂは、ＳＲＳ送信４２５−ａを更に含む場合がある。場合によっては、共有スペクトル上の送信は、特殊サブフレーム４２０を含まない場合があるが、その間にＵＥ１１５がチャネルへのアクセスを競合する場合がある、ダウンリンク送信４１０とアップリンク送信４１５との間のギャップを含む場合がある。
【００５７】
[0067]基地局１０５は、割り当てられたアップリンク送信４１５−ａの最初にＳＲＳを送信するようにスケジュールされる１つ又は複数のＵＥ１１５を識別する場合がある。基地局１０５は、ＰＵＳＣＨ／ＰＵＣＣＨ割当ての最初にＳＲＳ送信４２５を実施するように、識別されたＵＥ１１５を非周期的にトリガするインジケータをダウンリンク送信４１０−ａ内に含む場合がある。場合によっては、インジケータは、図４Ａを参照して上述されたように、ＰＤＣＣＨ、ＰＦＦＩＣＨ、又は特殊ＰＤＣＣＨに含まれる。
【００５８】
[0068]１つ又は複数のＵＥ１１５は、インジケータを受信し、ＳＲＳ送信時間期間がアップリンク送信４１５−ａの最初に位置すると決定する場合がある。場合によっては、識別されたＵＥ１１５は更に、ＰＵＳＣＨ送信及び／又はＰＵＣＣＨ送信をスケジュールするアップリンク許可を受信する場合がある。インジケータ及び／又はアップリンク許可を受信した後、ＵＥ１１５はチャネルを確保するためにＣＣＡを実施する場合がある。ＣＣＡが成功した後、ＵＥ１１５は、アップリンク送信４１５−ａ内で、プリコードされたデータシンボルを送信するより前に、ＤＭＲＳベースのプリアンブルを送信する場合がある。ＤＭＲＳベースのプリアンブルは、ＳＲＳ送信４２５−ａの間に送信される場合があり、ＳＲＳとして働く場合がある。他の場合には、ＵＥ１１５は、特殊サブフレーム４２０の間に、ＣＵＢＳ内でアップリンク送信４１５−ａより前にＤＭＲＳベースのプリアンブルを送信する場合がある。場合によっては、ＵＥ１１５は、第２又は第３のアップリンクサブフレーム内で送信するようにスケジュールされる場合がある。この場合、ＵＥ１１５は、アップリンク送信４１５−ａより前にＣＣＡを実施する場合があるか、又はスケジュールされたアップリンクサブフレームより前にＣＣＡを実施する場合があるかのいずれかである。ＳＲＳ送信４２５−ａの態様は、図４Ａを参照して上述されたように実施される場合がある。
【００５９】
[0069]図４Ｃは、本開示の様々な態様による、共有スペクトル上の基準信号の送信用のＳＲＳ送信方式４００−ｃの一例を示す。ＳＲＳ送信方式４００−ｃは、図１〜図４Ｂを参照して上述されたＵＥ１１５と基地局１０５との間の送信の態様を示す場合がある。ＳＲＳ送信方式４００−ｃは、アップリンク送信とダウンリンク送信との間の切替えを可能にするために、ダウンリンク送信４１０−ｂ及び特殊サブフレーム４２０−ｂ向けに指定される場合があるサブフレーム４０５−ｂを含む場合がある。ＳＲＳ送信方式４００−ｃは、ＳＲＳ送信４２５−ｂを更に含む場合がある。場合によっては、共有スペクトル上の送信は、特殊サブフレーム４２０を含まない場合があるが、その間にＵＥ１１５がチャネルへのアクセスを競合する場合がある、ダウンリンク送信４１０とアップリンク送信４１５との間のギャップを含む場合がある。
【００６０】
[0070]基地局１０５は、割り当てられたアップリンク送信４１５−ｂの後にＳＲＳ送信４２５−ｂを送信するようにスケジュールされる１つ又は複数のＵＥ１１５を識別する場合がある。基地局１０５は、ＰＵＳＣＨ／ＰＵＣＣＨ割当ての最後に続いてＳＲＳ送信４２５−ｂを実施するように、識別されたＵＥ１１５を非周期的にトリガするインジケータをダウンリンク送信４１０−ｂ内に含む場合がある。場合によっては、インジケータは、図４Ａ〜図４Ｂを参照して上述されたように、ＰＤＣＣＨ、ＰＦＦＩＣＨ、又は特殊ＰＤＣＣＨに含まれる。
【００６１】
[0071]１つ又は複数のＵＥ１１５は、インジケータを受信し、ＳＲＳ送信時間期間がアップリンク送信４１５−ｂの後に位置すると決定する場合がある。場合によっては、識別されたＵＥ１１５は更に、ＰＵＳＣＨ送信及び／又はＰＵＣＣＨ送信をスケジュールするアップリンク許可を受信する場合がある。インジケータ及び／又はアップリンク許可を受信した後、ＵＥ１１５は、アップリンク送信４１５−ｂが完了した後にＳＲＳ送信４２５−ｂを送信する場合がある。場合によっては、ＵＥ１１５は、アップリンク送信４１５−ｂより前にＣＣＡを実施し、ＳＲＳ送信４２５−ｂの間にＳＲＳを送信する場合がある。場合によっては、ＵＥ１１５は、３つのアップリンクサブフレームのうちの２つのための送信に割り振られる場合がある。この場合、ＵＥ１１５は、第２のアップリンクサブフレームの後にＳＲＳを送信する場合がある。ＳＲＳ送信４２５−ｂの態様は、図４Ａ〜図４Ｂを参照して上述されたように実施される場合がある。
【００６２】
[0072]図４Ｄは、本開示の様々な態様による、共有スペクトル上の基準信号の送信用のＳＲＳ送信方式４００−ｄの一例を示す。ＳＲＳ送信方式４００−ｄは、図１〜図４Ｃを参照して上述されたＵＥ１１５と基地局１０５との間の送信の態様を示す場合がある。ＳＲＳ送信方式４００−ｄは、アップリンク送信とダウンリンク送信との間の切替えを可能にするために、ダウンリンク送信４１０−ｃ、アップリンク送信４１５−ｃ、及び特殊サブフレーム４２０−ｃ向けに指定される場合があるサブフレーム４０５−ｃを含む場合がある。ＳＲＳ送信方式４００−ｃは、ＳＲＳ送信４２５−ｃを更に含む場合がある。送信より前にチャネルを監視及び確保するために、ＣＣＡ４３０とＣＵＢＳ４３５とを含むＬＢＴ手順４４０が使用される場合がある。ＬＢＴ手順４４０−ａは、ＳＲＳ送信方式４００−ｄの第１の周波数サブバンドに対して実施される場合があり、ＬＢＴ手順４４０−ｂは、ＳＲＳ送信方式４００−ｄの第２の周波数サブバンドに対して実施される場合がある。場合によっては、共有スペクトル上の送信は、特殊サブフレーム４２０を含まない場合があるが、その間にＵＥ１１５がチャネルへのアクセスを競合する場合がある、ダウンリンク送信４１０とアップリンク送信４１５との間のギャップを含む場合がある。
【００６３】
[0073]基地局１０５は、割り当てられたアップリンク送信４１５−ｃより前にＳＲＳ送信４２５−ｃを送信するようにスケジュールされる１つ又は複数のＵＥ１１５を識別する場合がある。基地局１０５は、ＰＵＳＣＨ／ＰＵＣＣＨ割当ての最初より前にＳＲＳ送信４２５−ｃを実施するように、識別されたＵＥ１１５を非周期的にトリガするインジケータをダウンリンク送信４１０−ｃ内に含む場合がある。場合によっては、インジケータは、図４Ａ〜図４Ｃを参照して上述されたように、ＰＤＣＣＨ、ＰＦＦＩＣＨ、又は特殊ＰＤＣＣＨに含まれる。
【００６４】
[0074]１つ又は複数のＵＥ１１５は、インジケータを受信し、ＳＲＳ送信時間期間がアップリンク送信４１５−ｃより前に位置すると決定する場合がある。場合によっては、識別されたＵＥ１１５は更に、ＰＵＳＣＨ送信及び／又はＰＵＣＣＨ送信をスケジュールするアップリンク許可を受信する場合がある。インジケータ及び／又はアップリンク許可を受信した後、ＵＥ１１５は、特殊サブフレーム４２０−ｃの間（例えば、ＵｐＰＴＳの間）にＳＲＳ送信４２５−ｃを送信する場合がある。ＵｐＰＴＳに割り振られたシンボルの数に応じて、ＳＲＳ送信４２５−ｃは、１つ又は２つのシンボル期間を使用する場合がある。一例では、ＵＥ１１５は、ｅＣＣＡであり得るＣＣＡ４３０を実施する。媒体上で送信するより前に、ＵＥ１１５は、チャネルを確保するためにＣＵＢＳ４３５−ａを送信する場合がある。ＣＵＢＳ４３５−ａを送信した後、ＵＥ１１５は、ＵｐＰＴＳの間にＳＲＳ送信４２５−ｃを実施する場合がある。ＳＲＳ送信４２５−ｃに続いて、ＵＥ１１５はアップリンク送信４１５−ｃを開始する場合がある。この方式は、連続送信を実現し、他のデバイスがチャネルにアクセスするように試みることを防止する場合がある。
【００６５】
[0075]基地局１０５は、アップリンク送信４１５−ｃより前に周期的又は非周期的なＳＲＳ報告をスケジュールする場合がある。非周期的な報告の場合、インジケータは、ＳＲＳ送信４２５−ｃの間に送信するようにＵＥ１１５を非周期的にトリガするために、ＰＤＣＣＨに含まれる場合がある。周期的な報告の場合、基地局１０５は、ＲＲＣメッセージによる周期的なＳＲＳ報告のために１つ又は複数のＵＥ１１５を構成する場合がある。ＲＲＣメッセージは、周期性、オフセット、及び周波数ホッピングパターンのパラメータを含む場合がある。（例えば、ＰＤＣＣＨ内の）次の送信内に、基地局１０５は、ＵＥ１１５が上記のパラメータに基づいてどの特殊サブフレーム４２０−ｃの間に送信するべきかを決定するために使用する場合がある、フレーム番号を含める場合がある。ＵＥ１１５は、ＳＲＳ送信４２５−ｃより前にＣＣＡを実施し、ＣＵＢＳを送信する場合がある。ＳＲＳ送信４２５−ｃの態様は、図４Ａ〜図４Ｃを参照して上述されたように実施される場合がある。
【００６６】
[0076]図４Ｅは、本開示の様々な態様による、共有スペクトル上の基準信号の送信用のＳＲＳ送信方式４００−ｅの一例を示す。ＳＲＳ送信方式４００−ｅは、図１〜図４Ｄを参照して上述されたＵＥ１１５と基地局１０５との間の送信の態様を示す場合がある。ＳＲＳ送信方式４００−ｅは、アップリンク送信とダウンリンク送信との間の切替えを可能にするために、ダウンリンク送信４１０−ｄ、アップリンク送信４１５−ｄ、及び特殊サブフレーム４２０−ｄ向けに指定される場合があるサブフレーム４０５−ｄを含む場合がある。ＳＲＳ送信方式４００−ｄは、ＳＲＳ送信４２５−ｄを更に含む場合がある。場合によっては、共有スペクトル上の送信は、特殊サブフレーム４２０を含まない場合があるが、その間にＵＥ１１５がチャネルへのアクセスを競合する場合がある、ダウンリンク送信４１０とアップリンク送信４１５との間のギャップを含む場合がある。
【００６７】
[0077]上記と同様に、基地局１０５は、割り当てられたアップリンク送信４１５−ｃより前にＳＲＳ送信４２５−ｄを送信するようにスケジュールされる１つ又は複数のＵＥ１１５を識別し、インジケータを送信する場合がある。場合によっては、インジケータは、図４Ａ〜図４Ｄを参照して上述されたように、ＰＤＣＣＨ、ＰＦＦＩＣＨ、又は特殊ＰＤＣＣＨに含まれる。場合によっては、インジケータは、広帯域ＳＲＳ送信４２５−ｄを実施するようにＵＥ１１５をスケジュールする場合があるか、又はスケジュールされたＰＵＳＣＨ／ＰＵＣＣＨとは異なるサブバンド内にあるＳＲＳ送信４２５−ｄを実施するようにＵＥ１１５をスケジュールする場合がある。
【００６８】
[0078]１つ又は複数のＵＥ１１５は、インジケータを受信し、ＳＲＳ送信時間期間がアップリンク送信４１５−ｄより前に位置すると決定する場合がある。場合によっては、識別されたＵＥ１１５は更に、ＰＵＳＣＨ送信及び／又はＰＵＣＣＨ送信をスケジュールするアップリンク許可を受信する場合がある。インジケータ及び／又はアップリンク許可を受信した後、ＵＥ１１５は、特殊サブフレーム４２０−ｄの間（例えば、ＵｐＰＴＳの間）にＳＲＳ送信４２５−ｄを送信する場合がある。ＵＥ１１５は、ＳＲＳ送信４２５−ｄを送信するより前にＣＣＡを実施する場合がある。ＵｐＰＴＳに割り振られたシンボルの数に応じて、ＳＲＳ送信４２５−ｃは、１つ又は２つのシンボル期間を使用する場合がある。場合によっては、識別されたＵＥ１１５は、異なるサブバンド内でＳＲＳ送信４２５−ｄを送信するようにＵＥ１１５に指示する、特殊ＰＤＣＣＨ４５５内のインジケータを受信する場合がある。場合によっては、ＵＥ１１５は広帯域サウンディング用に構成される場合がある。場合によっては、ＳＲＳ送信４２５−ｄとアップリンク送信４１５−ｄとの間にギャップ（例えば、１７μｓ）が発生する場合がある。この場合、ギャップは、ＷＬＡＮデバイス又は他のＬＴＥデバイスが媒体にアクセスするように試みることを防止するのに十分短い場合がある。
【００６９】
[0079]追加又は代替として、基地局１０５は、識別されたＵＥ１１５へのＳＲＳ報告用に、特殊サブフレーム４２０の代わりに特殊ＳＲＳフレーム４６５を示すインジケータをダウンリンク送信４１０−ｄ内に含む場合がある。特殊ＳＲＳフレーム４６５は、アップリンク送信４１５−ｄなどの、次のＰＵＣＣＨ送信又はＰＵＳＣＨ送信をスケジュールせずに、ＳＲＳスケジューリングの目的に利用される場合がある。場合によっては、インジケータはＰＤＣＣＨ４５５に含まれる。特殊ＳＲＳフレーム４６５は、ＰＤＣＣＨ４５５と、ガード期間４６０と、ＳＲＳ送信４２５−ｄとを含む場合がある。ＰＤＣＣＨ４５５は、ＳＲＳ送信４２５−ｄをスケジュールする制御情報を含む場合がある。ガード期間４６０は、ダウンリンク送信４１０−ｄ及び／又はＰＤＣＣＨ４５５とＳＲＳ送信４２５−ｄとの間の移行期間として使用される場合がある。
【００７０】
[0080]インジケータを受信した後、識別されたＵＥ１１５は、特殊ＳＲＳフレーム４６５の間にＳＲＳ送信４２５−ｄを送信する場合がある。ＵＥ１１５は、ガード期間４６０の間、及びＳＲＳ送信４２５−ｄを送信するより前に、ＣＣＡを実施する場合がある。ＣＣＡが成功した後、ＵＥ１１５は、ＳＲＳ送信４２５−ｄの送信のために、ＣＵＢＳを送信し、インターレース及びリソースインデックス付けする場合がある。場合によっては、ＵＥ１１５は、複数の帯域にわたりＣＣＡであり、ＵＥ１１５が空いているＣＣＡを観察した各帯域内でＳＲＳ送信４２５−ｄを送信する場合がある。複数のＵＥ１１５は、ＦＤＭ技法、ＣＤＭ技法、又はＴＤＭ技法を使用して、ＳＲＳ送信４２５−ｄを送信する場合がある。ＳＲＳ送信４２５−ｄの態様は、図４Ａ〜図４Ｄを参照して上述されたように実施される場合がある。
【００７１】
[0081]図４Ｆは、本開示の様々な態様による、共有スペクトル上の基準信号の送信用のＳＲＳ送信方式４００−ｆの一例を示す。ＳＲＳ送信方式４００−ｆは、図１〜図４Ｄを参照して上述されたＵＥ１１５と基地局１０５との間の送信の態様を示す場合がある。ＳＲＳ送信方式４００−ｆは、アップリンク送信とダウンリンク送信との間の切替えを可能にするために、ダウンリンク送信４１０−ｅ、アップリンク送信４１５−ｅ、及び特殊サブフレーム４２０−ｅ向けに指定される場合があるサブフレーム４０５−ｅを含む場合がある。ＳＲＳ送信方式４００−ｆは、ＳＲＳ送信４２５−ｅを更に含む場合がある。場合によっては、共有スペクトル上の送信は、特殊サブフレーム４２０を含まない場合があるが、その間にＵＥ１１５がチャネルへのアクセスを競合する場合がある、ダウンリンク送信４１０とアップリンク送信４１５との間のギャップを含む場合がある。
【００７２】
[0082]基地局１０５は、ＳＲＳサブフレーム４４５の間にＳＲＳ送信４２５−ｅを実施するようにスケジュールされる１つ又は複数のＵＥ１１５を識別する場合がある。基地局１０５は、ＳＲＳサブフレーム４４５の間にＳＲＳ送信４２５−ｅを送信するように、識別されたＵＥ１１５を非周期的にトリガするインジケータをダウンリンク送信４１０−ｅ内に含む場合がある。ＳＲＳサブフレーム４４５は、アップリンク送信４１５−ｅのアップリンクサブフレームの中を延在する場合がある。場合によっては、インジケータは、図４Ａ〜図４Ｅを参照して上述されたように、ＰＤＣＣＨ、ＰＦＦＩＣＨ、又は特殊ＰＤＣＣＨに含まれる。
【００７３】
[0083]１つ又は複数のＵＥ１１５は、インジケータを受信し、ＳＲＳサブフレーム４４５がＳＲＳ送信４２５−ｅ用にスケジュールされていることを識別する場合がある。場合によっては、識別されたＵＥ１１５は更に、ＰＵＳＣＨ送信及び／又はＰＵＣＣＨ送信をスケジュールするアップリンク許可を受信する場合がある。インジケータ及び／又はアップリンク許可を受信した後、ＵＥ１１５は、ＳＲＳサブフレーム４４５の間にＳＲＳ送信４２５−ｅを送信する場合がある。ＵＥ１１５は、ＳＲＳ送信４２５−ｅを送信するより前にＣＣＡを実施する場合がある。場合によっては、識別されたＵＥ１１５は、ＰＤＳＣＨ又はＰＵＣＣＨ用にスケジュールされたサブバンドとは異なるサブバンド内でＳＲＳ送信４２５−ｅを送信するようにＵＥ１１５に指示する、特殊ＰＤＣＣＨ内のインジケータを受信する場合がある。この場合、ＵＥ１１５は広帯域サウンディング用に構成される場合がある。ＳＲＳ送信４２５−ｅの態様は、図４Ａ〜図４Ｅを参照して上述されたように実施される場合がある。
【００７４】
[0084]追加又は代替として、基地局１０５は、識別されたＵＥ１１５へのＳＲＳ報告用に、特殊サブフレーム４２０−ｅの代わりに特殊ＳＲＳフレーム４６５−ａを示すインジケータをダウンリンク送信４１０−ｅ内に含む場合がある。特殊ＳＲＳフレーム４６５−ａは、ＰＵＣＣＨ送信又はＰＵＳＣＨ送信（例えば、アップリンク送信４１５−ｅの第２及び第３のサブフレーム）をスケジュールせずに、ＳＲＳスケジューリングの目的に利用される場合がある。場合によっては、インジケータはＰＤＣＣＨに含まれる。特殊ＳＲＳフレーム４６５−ａは、ＰＤＣＣＨ４５５−ａと、ガード期間４６０−ａと、ＳＲＳ送信４２５−ｅとを含む場合がある。ＰＤＣＣＨ４５５−ａは、ＳＲＳ送信４２５−ｅをスケジュールし、ＳＲＳサブフレーム４４５を割り振る制御情報を含む場合がある。ガード期間４６０−ａは、ＰＤＣＣＨとＳＲＳ送信４２５−ｅとの間の移行期間として使用される場合がある。場合によっては、ＳＲＳ送信４２５−ｅをスケジュールする制御情報はダウンリンク送信４１０−ｅに含まれ、特殊ＳＲＳフレーム４６５−ａはＰＤＣＣＨ４５５−ａ又はガード期間４６０−ａを含まない。代わりに、その間にＵＥ１１５がチャネルへのアクセスを競合する場合がある送信ギャップ（例えば、ダウンリンク送信とアップリンク送信のどちらもＵＥ１１５又は基地局１０５によって実施されない期間）は、特殊サブフレーム４２０−ｅの継続時間に及ぶ場合がある。
【００７５】
[0085]インジケータを受信した後、識別されたＵＥ１１５は、特殊ＳＲＳフレーム４６５−ａを識別し、割り振られたＳＲＳサブフレーム４４５の間にＳＲＳ送信４２５−ｅを送信する場合がある。ＵＥ１１５は、ガード期間４６０−ａの間、及びＳＲＳ送信４２５−ｅを送信するより前に、ＣＣＡを実施する場合がある。ＣＣＡが成功した後、ＵＥ１１５は、ＳＲＳ送信４２５−ｅの送信のために、ＣＵＢＳを送信し、インターレース及びリソースインデックス付けする場合がある。場合によっては、ＵＥ１１５は、複数の帯域にわたりＣＣＡであり、ＵＥ１１５が空いているＣＣＡを観察した各帯域内でＳＲＳ送信４２５−ｅを送信する場合がある。複数のＵＥ１１５は、ＦＤＭ技法、ＣＤＭ技法、又はＴＤＭ技法を使用して、ＳＲＳ送信４２５−ｅを送信する場合がある。
【００７６】
[0086]基地局１０５は、特殊ＳＲＳフレーム４６５−ａを使用して、周期的又は非周期的なＳＲＳ報告をトリガする場合がある。非周期的な報告の場合、インジケータは、ＳＲＳサブフレーム４４５の間にＳＲＳ送信４２５−ｅを実施するようにＵＥ１１５を非周期的にトリガするために、ＰＤＣＣＨ４５５−ａに含まれる場合がある。周期的な報告の場合、基地局１０５は、ＲＲＣメッセージによる周期的なＳＲＳ報告のために１つ又は複数のＵＥ１１５を構成する場合がある。ＲＲＣメッセージは、周期性、オフセット、及び周波数ホッピングパターンのパラメータを含む場合がある。（例えば、ＰＤＣＣＨ内の）次の送信では、基地局１０５は、ＵＥ１１５が上記のパラメータに基づいてどの特殊ＳＲＳフレーム４６５−ａの間に送信するべきかを決定するために使用する場合がある、特殊ＳＲＳフレーム番号を含む場合がある。ＵＥ１１５は、ＳＲＳ送信４２５−ｅより前にＣＣＡを実施し、ＣＵＢＳを送信する場合がある。ＳＲＳ送信４２５−ｅの態様は、図４Ａ〜図４Ｅを参照して上述されたように実施される場合がある。
【００７７】
[0087]図４Ｇは、本開示の様々な態様による、共有スペクトル上の基準信号の送信用のＳＲＳ送信方式４００−ｇの一例を示す。ＳＲＳ送信方式４００−ｇは、図１〜図４Ｆを参照して上述されたＵＥ１１５と基地局１０５との間の送信の態様を示す場合がある。ＳＲＳ送信方式４００−ｇは、ダウンリンク送信４１０−ｆ、アップリンク送信４１５−ｆ向けに指定される場合がある、又は特殊サブフレーム４２０−ｆを使用してアップリンク送信とダウンリンク送信との間の切替えを可能にするために指定される場合があるサブフレーム４０５−ｆを含む場合がある。ＳＲＳ送信方式４００−ｇはＳＲＳ送信４２５−ｆを更に含む場合があり、ＳＲＳ送信４２５−ｆはアンプリコードされたＤＭＲＳとして送信される場合がある。場合によっては、共有スペクトル上の送信は、特殊サブフレーム４２０を含まない場合があるが、その間にＵＥ１１５がチャネルへのアクセスを競合する場合がある、特殊サブフレーム４２０−ｅの継続時間に及ぶ送信ギャップを含む場合がある。
【００７８】
[0088]基地局１０５は、スケジュールされたＣＥＴ期間４５０の間にＳＲＳ送信４２５−ｆを送信するようにスケジュールされる１つ又は複数のＵＥ１１５を識別する場合がある。基地局１０５は、ＣＥＴ期間４５０の間にＳＲＳ送信４２５−ｆを送信するように、識別されたＵＥ１１５を非周期的にトリガするインジケータをダウンリンク送信４１０−ｆ内に含む場合がある。ＣＥＴ期間４５０は、基地局１０５によって周期的にスケジュールされる場合がある。例えば、ＣＥＴ期間４５０は８０ｍｓごとに１度スケジュールされる場合がある。場合によっては、インジケータは、図４Ａ〜図４Ｆを参照して上述されたように、ＰＤＣＣＨ、ＰＦＦＩＣＨ、又は特殊ＰＤＣＣＨに含まれる。
【００７９】
[0089]１つ又は複数のＵＥ１１５は、インジケータを受信し、ＣＥＴ期間４５０がＳＲＳ送信４２５−ｆ用にスケジュールされていることを識別する場合がある。場合によっては、識別されたＵＥ１１５は更に、ＰＵＳＣＨ送信及び／又はＰＵＣＣＨ送信をスケジュールするアップリンク許可を受信する場合がある。インジケータ及び／又はアップリンク許可を受信した後、ＵＥ１１５は、ＣＥＴ期間４５０の間にＳＲＳ送信４２５−ｅを送信する場合がある。ＳＲＳ送信４２５−ｆの態様は、図４Ａ〜図４Ｆを参照して上述されたように実施される場合がある。
【００８０】
[0090]図５は、本開示の様々な態様による、共有スペクトル上の基準信号の送信用のプロセスフロー５００の一例を示す。プロセスフロー５００は、図１〜図４Ｇを参照して上述されたＵＥ１１５及び基地局１０５の一例であり得る、ＵＥ１１５−ｂ及び基地局１０５−ｂによって実施される場合がある。幾つかの例では、ＵＥ１１５−ｂは、基地局１０５−ｂから基準信号インジケータ及び／又はアップリンク許可を受信する場合がある。ＵＥ１１５−ｂは、インジケータを使用して、ＳＲＳ信号を送信する基準信号送信時間を決定する場合がある。
【００８１】
[0091]ステップ５０５において、基地局１０５−ｂとＵＥ１１５−ｂはＲＲＣ接続を確立する場合がある。場合によっては、ＲＲＣ接続を確立することは、ＵＥ１１５−ｂがｅＣＣ及び／又は共有チャネルを使用することが可能かどうかを決定するためにＲＲＣメッセージを送ることを含む場合がある。場合によっては、ＵＥ１１５−ｂは、ｅＣＣ及び共有チャネルの能力を宣伝するＲＲＣメッセージを基地局１０５−ｂに送る場合がある。共有チャネル内で動作し、ｅＣＣを使用するようにＵＥ１１５−ｂを構成するために、更なるＲＲＣメッセージが送られる場合がある。周期的な基準信号送信用にＵＥ１１５−ｂを構成するために、ＲＲＣメッセージが更に使用される場合がある。例えば、ＲＲＣメッセージは、周期的な基準信号送信に関連付けられた、周期性と、オフセットと、周波数ホッピングパラメータとを含む場合がある。ＲＲＣメッセージは、フレーム番号又は特殊サブフレーム番号を更に含む場合がある。
【００８２】
[0092]ステップ５１０において、基地局１０５−ｂは、基準信号（例えば、ＳＲＳ）を送信するようにスケジュールされる、ＵＥ１１５−ｂを含むＵＥ１１５のセットを識別する場合がある。ステップ５１５において、基地局１０５−ｂは、識別されたＵＥ１１５に基づいて次のＴＤＤ構成内でスケジュールされたアップリンク送信に対して、基準信号を送信するための基準信号時間期間を決定する場合がある。場合によっては、基地局１０５−ｂは、基準信号時間期間がＵＥ１１５−ｂ向けにスケジュールされる場合があるアップリンク送信の前、間、又は後に発生する場合があると決定する場合がある。場合によっては、基地局１０５−ｂは、アップリンク送信がスケジュールされていないと決定する場合があり、ＳＲＳ送信を実施するようにＵＥ１１５−ｂに示す場合がある。例えば、基地局は、図４Ｅ及び図４Ｆを参照して上述された特殊ＳＲＳフレーム４６５などの、次のアップリンクサブフレームを含んでいない特殊ＳＲＳフレームが利用されると決定する場合がある。他の場合には、基地局は、基準信号送信にＣＥＴリソースが使用されると決定する場合がある。
【００８３】
[0093]ステップ５２０において、基地局１０５−ｂは、決定された基準信号時間期間に基づいてインジケータを作成し、ＵＥ１１５−ｂへの制御情報内でインジケータを送信する場合がある。インジケータは、非周期的又は周期的に基準信号送信をスケジュールするために使用される場合がある。場合によっては、インジケータは、基準信号時間期間がアップリンク送信の前、間、又は後であることを示すために使用される場合がある。他の場合には、インジケータは、基準信号送信がスケジュールされたＣＥＴリソースの間に発生することを示すために使用される場合がある。場合によっては、インジケータは、アップリンク送信がスケジュールされていないことと、特殊ＳＲＳフレームが利用されることとを示すために使用される場合がある。更に別の場合には、インジケータは、周期的な基準信号送信用のオフセット、周期性、周波数ホッピング方式、フレーム番号、又は特殊フレーム番号を示す場合がある。インジケータは、基準信号送信のために時間リソースと周波数リソースとをＵＥ１１５−ｂに割り振るために、更に使用される場合がある。インジケータは、ＰＤＣＣＨ、ＰＦＦＩＣＨ、又は特殊ＰＤＣＣＨを使用して送られる場合がある。
【００８４】
[0094]ステップ５２５において、ＵＥ１１５−ｂは、制御情報を受信し、アップリンク送信時間期間を識別する場合がある。場合によっては、ＵＥ１１５−ｂは、インジケータに加えて、ＰＤＣＣＨ内でアップリンク許可を受信し、アップリンクリソース割振りを決定する場合がある。例えば、ＵＥ１１５−ｂは、ＰＤＣＣＨが次のＰＵＳＣＨとＰＵＣＣＨとをスケジュールすると決定する場合がある。場合によっては、ＵＥ１１５−ｂは、ＰＵＳＣＨとＰＵＣＣＨのどちらもスケジュールされていないと決定する場合がある。ステップ５３０において、ＵＥ１１５−ｂは、基地局１０５−ｂによって作成されたインジケータに基づいて、インジケータを受信する場合がある。
【００８５】
[0095]ステップ５３５において、ＵＥ１１５−ｂは、受信されたインジケータ及びアップリンク許可に基づいて、基準信号時間期間を識別する場合がある。例えば、ＵＥ１１５−ｂは、基準信号送信期間がアップリンク送信時間期間の前、間、又は後であると決定する場合がある。場合によっては、ＵＥ１１５−ｂは、基準信号時間期間が特殊サブフレームの間（例えば、ＵｐＰＴＳの間）又は特殊ＳＲＳサブフレームの間であると決定する場合がある。他の場合には、ＵＥ１１５−ｂは、基準信号送信時間期間がＣＥＴリソースの間に発生すると決定する場合がある。別の場合には、ＵＥ１１５−ｂは、アップリンクリソースが割り振られていないと決定し、基準信号送信時間期間が特殊ＳＲＳサブフレームの間に発生すると決定する場合がある。ＵＥ１１５−ｂは更に、受信されたインジケータに基づいて、基準信号送信用の時間リソースと周波数リソースとを決定する場合がある。例えば、ＵＥ１１５−ｂは、ＵＥ１１５−ｂのＰＵＳＣＨ／ＰＵＣＣＨをスケジュールするために使用されるサブバンドとは異なるサブバンド内で、基準信号を送信するようにスケジュールされる場合がある。別の例では、ＵＥ１１５−ｂは、複数のサブバンドにわたって広帯域基準信号を送信するようにスケジュールされる場合がある。場合によっては、インジケータは、アップリンク送信期間に対する位置を指定せずに基準信号を送信するように、ＵＥ１１５−ｂに通知する場合がある。この場合、ＵＥ１１５−ｂは、インジケータを受信し、所定の構成に従って基準信号を送信する場合がある。例えば、ネットワークは、アップリンク送信の最後に発生する基準信号送信向けに構成される場合がある。ＵＥ１１５−ｂは、基準信号のアップリンク送信に関連付けられたインジケータを受信する場合があり、基準信号送信用の位置を更に決定することなく、アップリンク送信の最後に基準信号を送信する場合がある。
【００８６】
[0096]ステップ５４０において、ＵＥ１１５−ｂは、識別された基準信号時間期間並びに割り振られた時間リソース及び周波数リソースに基づいて、基準信号を送信する場合がある。基準信号を送信するより前に、ＵＥ１１５−ｂは、チャネルが空いているかどうかを決定するためにＣＣＡを実施する場合がある。場合によっては、アップリンク送信、基準信号送信、又は両方より前に、ＣＣＡは実施される。チャネルが空いていると決定した後、ＵＥ１１５−ｂは、チャネルを確保するためにＣＵＢＳを送信する場合がある。ＵＥ１１５−ｂは、次いで、識別された基準信号送信期間の間に基準信号を送信することに進む場合がある。ＵＥ１１５−ｂは、サブバンドを占有し、他のＵＥ１１５からの基準信号送信に適応するために、基準信号送信をインターリーブ及びリソースインデックス付けする場合がある。場合によっては、ＵＥ１１５−ｂは、増大した数のＵＥ１１５に適応するために、ＣＤＭ技法、ＦＤＭ技法、又はＴＤＭ技法を使用して基準信号を送信する場合がある。
【００８７】
[0097]図６は、本開示の様々な態様による、共有スペクトル上の基準信号の送信をサポートするワイヤレスデバイス６００のブロック図を示す。ワイヤレスデバイス６００は、図１〜図５を参照して記載されたＵＥ１１５の態様の一例であり得る。ワイヤレスデバイス６００は、受信機６０５、ＳＲＳ送信モジュール６１０、又は送信機６１５を含む場合がある。ワイヤレスデバイス６００は、プロセッサを含む場合もある。これらの構成要素の各々は、互いと通信している場合がある。
【００８８】
[0098]受信機６０５は、パケット、ユーザデータ、又は様々な情報チャネルに関連付けられた制御情報（例えば、制御チャネル、データチャネル、及び基準信号の送信を管理するための技法に関する情報など）などの情報を受信する場合がある。情報は、ＳＲＳ送信モジュール６１０及びワイヤレスデバイス６００の他の構成要素に渡される場合がある。幾つかの例では、受信機６０５は特殊ＰＤＣＣＨ内でインジケータを受信する場合があり、特殊ＰＤＣＣＨは基準信号を送信するための複数の周波数サブバンドを示す。幾つかの例では、受信機６０５は特殊ＰＤＣＣＨ内でインジケータを受信する場合があり、特殊ＰＤＣＣＨは、スケジュールされていない時間期間の間にＳＲＳを送信するように、即ち、ワイヤレスデバイス６００が他のワイヤレスデバイス用にスケジュールされたアップリンク送信期間の間に、又はスケジュールされたアップリンク送信時間期間と同じ帯域内で送信するようにスケジュールされていないときに送信するように、スケジュールされていないワイヤレスデバイス６００に示す。幾つかの例は、インジケータはＰＤＣＣＨ又はＰＦＦＩＣＨのうちの１つを介して受信される。
【００８９】
[0099]ＳＲＳ送信モジュール６１０は、共有無線周波数スペクトル帯域に関連付けられたアップリンク送信時間期間を識別し、基準信号のアップリンク送信に関連付けられたダウンリンク送信においてインジケータを受信し、アップリンク送信時間期間に対する基準信号時間期間を識別し、識別された基準信号時間期間の間に共有無線周波数スペクトル帯域にわたり基準信号を送信する場合がある。
【００９０】
[0100]送信機６１５は、ワイヤレスデバイス６００の他の構成要素から受け取った信号を送信する場合がある。幾つかの例では、送信機６１５は、トランシーバモジュール内で受信機６０５とコロケート（同一場所に配置）される場合がある。送信機６１５は、単一のアンテナを含む場合があるか、又は複数のアンテナを含む場合がある。幾つかの例では、送信機６１５は、識別された基準信号時間期間の間に共有無線周波数スペクトル帯域にわたり基準信号を送信する場合がある。幾つかの例では、送信機６１５は、復調基準信号（ＤＭＲＳ）ベースのプリアンブルとして基準信号を送信する場合がある。幾つかの例では、送信機６１５は、チャネル使用ビーコン信号（ＣＵＢＳ）プリアンブルとして基準信号を送信する場合がある。
【００９１】
[0101]図７は、本開示の様々な態様による、共有スペクトル上の基準信号の送信をサポートするワイヤレスデバイス７００のブロック図を示す。ワイヤレスデバイス７００は、図１〜図６を参照して記載されたワイヤレスデバイス６００又はＵＥ１１５の態様の一例であり得る。ワイヤレスデバイス７００は、受信機６０５−ａ、ＳＲＳ送信モジュール６１０−ａ、又は送信機６１５−ａを含む場合がある。ワイヤレスデバイス７００は、プロセッサを含む場合もある。これらの構成要素の各々は、互いと通信している場合がある。ＳＲＳ送信モジュール６１０−ａは、アップリンク識別器７０５と、インジケータ識別器７１０と、基準信号マネージャ７１５とを含む場合もある。
【００９２】
[0102]受信機６０５−ａは、ＳＲＳ送信モジュール６１０−ａ及びワイヤレスデバイス７００の他の構成要素に渡される場合がある情報を受信する場合がある。ＳＲＳ送信モジュール６１０−ａは、図６を参照して記載された動作を実施する場合がある。送信機６１５−ａは、ワイヤレスデバイス７００の他の構成要素から受け取った信号を送信する場合がある。
【００９３】
[0103]アップリンク識別器７０５は、図２〜図５を参照して記載されたように、共有無線周波数スペクトル帯域に関連付けられたアップリンク送信時間期間を識別する場合がある。アップリンク識別器７０５は、アップリンク送信時間期間を識別する場合もあり、識別されたアップリンク送信時間期間はワイヤレスデバイス７００向けにスケジュールされない。幾つかの例では、アップリンク送信時間期間は、少なくとも１つのアップリンクサブフレームを備える。アップリンク識別器７０５は、アップリンク送信時間期間が受信されたＴＤＤ構成に少なくとも部分的に基づくことを識別する場合もあり、受信されたＴＤＤ構成は、次のアップリンクサブフレームと、ダウンリンクサブフレームと、特殊サブフレームとを示す。
【００９４】
[0104]インジケータ識別器７１０は、ダウンリンク送信内でインジケータを受信する場合があり、インジケータは、図２〜図５を参照して記載されたように、基準信号のアップリンク送信に関連付けられる。幾つかの例では、ＰＤＣＣＨは、インジケータを備えるアップリンク許可又はダウンリンク許可を備える。幾つかの例では、インジケータは、ＰＦＦＩＣＨ内のビットを設定することによって示される場合がある。
【００９５】
[0105]基準信号マネージャ７１５は、図２〜図５を参照して記載されたように、アップリンク送信時間期間に対する基準信号時間期間を識別する場合がある。基準信号マネージャ７１５は、アップリンク送信時間期間の最後にあるように基準信号時間期間を決定する場合もある。基準信号マネージャ７１５は、割り当てられたＰＵＳＣＨの最後のシンボル又はＰＵＣＣＨの最後の１つ若しくは２つのシンボルの間にあるように基準信号時間期間を決定する場合もある。基準信号マネージャ７１５は、アップリンク送信時間期間の最初にあるように基準信号時間期間を決定する場合もある。基準信号マネージャ７１５は、アップリンク送信時間期間の最後の後であるように基準信号時間期間を決定する場合もあり、基準信号時間期間は少なくとも１つのシンボルを備える。基準信号マネージャ７１５は、アップリンク送信時間期間がワイヤレスデバイス７００向けにスケジュールされていないことを識別することに少なくとも部分的に基づいて、特殊サブフレームの一部分の間にあるように基準信号時間期間を決定する場合もある。
【００９６】
[0106]基準信号マネージャ７１５は、アップリンク送信時間期間の最初より前であるように基準信号時間期間を決定する場合もある。幾つかの例では、基準信号時間期間は、特殊サブフレームの間にある場合があり、少なくとも１つのシンボルを備える。幾つかの例では、基準信号時間期間は、アップリンク送信時間期間に関連付けられた第１のアップリンクサブフレームに対応する。幾つかの例では、基準信号時間期間は、アップリンク送信期間を備える。幾つかの例では、基準信号時間期間は、ＣＣＡ免除送信時間期間を備える。幾つかの例では、ＣＣＡ免除送信時間期間は、アップリンクサブフレームの少なくとも一部分を備え、周期的にスケジュールされる場合がある。幾つかの例では、基準信号時間期間は、特殊サブフレームの一部分を備える。幾つかの例では、特殊ＳＲＳフレームは、基準信号時間期間を備える。幾つかの例では、基準信号マネージャ７１５は、基準信号時間期間が特殊ＳＲＳフレーム番号、又は周期性、又はオフセット、又は周波数ホッピングパターンに少なくとも部分的に基づくことを識別する場合もある。幾つかの例では、基準信号時間期間は、周期的又は非周期的にスケジュールされる場合がある。
【００９７】
[0107]基準信号マネージャ７１５は、受信されたインジケータに少なくとも部分的に基づいて、基準信号時間期間の間に基準信号を送信するために、周波数リソースと時間リソースとを識別する場合もある。基準信号マネージャ７１５は、基準信号時間期間とアップリンク送信時間期間との間の関係を識別する場合もあり、基準信号時間期間の位置は、アップリンク送信時間期間の最初にあるか、又はアップリンク送信時間期間の最後にあるか、又はアップリンク送信時間期間より前であるか、又はアップリンク送信時間期間の後であるか、又はアップリンク送信時間期間を備える。基準信号マネージャ７１５は、周期性、又はオフセット、又は周波数ホッピングパターンに少なくとも部分的に基づいて、基準信号時間期間とアップリンク送信時間期間との間の関係を識別する場合もある。
【００９８】
[0108]図８は、本開示の様々な態様による、共有スペクトル上の基準信号の送信をサポートする、ワイヤレスデバイス６００又はワイヤレスデバイス７００の構成要素であり得る、ＳＲＳ送信モジュールモジュール６１０−ｂのブロック図８００を示す。ＳＲＳ送信モジュール６１０−ｂは、図６〜図７を参照して記載されたＳＲＳ送信モジュール６１０の態様の一例であり得る。ＳＲＳ送信モジュール６１０−ｂは、アップリンク識別器７０５−ａと、インジケータ識別器７１０−ａと、基準信号マネージャ７１５−ａとを含む場合もある。これらのモジュールの各々は、図７を参照して記載された機能を実施する場合がある。ＳＲＳ送信モジュール６１０−ｂは、周期的インジケータ識別器８０５を含む場合もある。
【００９９】
[0109]周期的インジケータ識別器８０５は、図２〜図５を参照して記載されたように、インジケータが周期性、オフセット、又は周波数ホッピングパターンを含むように構成される場合がある。幾つかの例では、インジケータは、特殊ＳＲＳフレームに関連付けられた特殊ＳＲＳフレーム番号を備える。
【０１００】
[0110]図９は、本開示の様々な態様による、共有スペクトル上の基準信号の送信をサポートする、ＵＥ１１５−ｃを含むシステム９００のブロック図を示す。システム９００は、図１、図２、図６、及び図７を参照して記載されたワイヤレスデバイス６００、ワイヤレスデバイス７００、又はＵＥ１１５の一例であり得る、ＵＥ１１５−ｃを含む場合がある。ＵＥ１１５−ｃは、図６〜図８を参照して記載されたＳＲＳ送信モジュール６１０の一例であり得る、ＳＲＳ送信モジュール９１０を含む場合がある。ＵＥ１１５−ｃは、ＳＲＳ識別器９２５を含む場合もある。ＵＥ１１５−ｃは、通信を送信するための構成要素と通信を受信するための構成要素とを含む、双方向音声及びデータ通信用の構成要素を含む場合もある。例えば、ＵＥ１１５−ｃは、ＵＥ１１５−ｄ又は基地局１０５−ｂと双方向に通信する場合がある。
【０１０１】
[0111]ＵＥ１１５−ｃは、プロセッサ９０５と、（ソフトウェア（ＳＷ）９２０を含む）メモリ９１５と、トランシーバ９３５と、１つ又は複数のアンテナ９４０とを含む場合もあり、それらの各々は、（例えば、バス９４５を介して）互いに直接的又は間接的に通信する場合がある。トランシーバ９３５は、上述されたように、アンテナ９４０又は有線リンク若しくはワイヤレスリンクを介して、１つ又は複数のネットワークと双方向に通信する場合がある。例えば、トランシーバ９３５は、基地局１０５又は別のＵＥ１１５と双方向に通信する場合がある。トランシーバ９３５は、パケットを変調し、変調されたパケットを送信用にアンテナ９４０に供給し、アンテナ９４０から受信されたパケットを復調するモデムを含む場合がある。ＵＥ１１５−ｃは単一のアンテナ９４０を含む場合があるが、ＵＥ１１５−ｃは、複数のワイヤレス送信を同時に送信又は受信することが可能な複数のアンテナ９４０を有する場合もある。ＳＲＳ識別器９２５は、ＵＥ１１５−ｃが非周期的又は周期的なＳＲＳ報告用にスケジュールされていることを識別するために使用される場合がある。
【０１０２】
[0112]メモリ９１５は、ランダムアクセスメモリ（ＲＡＭ）と、読取り専用メモリ（ＲＯＭ）とを含む場合がある。メモリ９１５は、実行されると、本明細書に記載された様々な機能（例えば、基準信号の送信を管理するための技法など）をプロセッサ９０５に実行させる命令を含む、コンピュータ可読、コンピュータ実行可能ソフトウェア／ファームウェアコード９２０を記憶する場合がある。代替として、ソフトウェア／ファームウェアコード９２０は、プロセッサ９０５によって直接的に実行可能でないが、（例えば、コンパイルされ実行されると）本明細書に記載された機能をコンピュータに実行させる場合がある。プロセッサ９０５は、インテリジェントハードウェアデバイス（例えば、中央処理装置（ＣＰＵ）、マイクロコントローラ、特定用途向け集積回路（ＡＳＩＣ）など）を含む場合がある。
【０１０３】
[0113]図１０は、本開示の様々な態様による、共有スペクトル上の基準信号の送信をサポートするワイヤレスデバイス１０００のブロック図を示す。ワイヤレスデバイス１０００は、図１〜図９を参照して記載された基地局１０５の態様の一例であり得る。ワイヤレスデバイス１０００は、受信機１００５、基地局ＳＲＳ送信モジュール１０１０、又は送信機１０１５を含む場合がある。ワイヤレスデバイス１０００は、プロセッサを含む場合もある。これらの構成要素の各々は、互いと通信している場合がある。
【０１０４】
[0114]受信機１００５は、パケット、ユーザデータ、又は様々な情報チャネルに関連付けられた制御情報（例えば、制御チャネル、データチャネル、及び基準信号の送信を管理するための技法に関する情報など）などの情報を受信する場合がある。情報は、基地局ＳＲＳ送信モジュール１０１０及びワイヤレスデバイス１０００の他の構成要素に渡される場合がある。
【０１０５】
[0115]基地局ＳＲＳ送信モジュール１０１０は、基準信号を送信するようにスケジュールされるワイヤレスデバイスのセットを識別し、アップリンク送信時間期間に対する基準信号を送信するための基準信号時間期間を決定し、アップリンク送信時間期間に対して決定された基準信号時間期間に関連付けられたワイヤレスデバイスのセットに指示を送信する場合がある。
【０１０６】
[0116]送信機１０１５は、ワイヤレスデバイス１０００の他の構成要素から受け取った信号を送信する場合がある。幾つかの例では、送信機１０１５は、トランシーバモジュール内で受信機１００５とコロケートされる場合がある。送信機１０１５は、単一のアンテナを含む場合があるか、又は複数のアンテナを含む場合がある。幾つかの例では、送信機１０１５は、アップリンク送信時間期間に対して決定された基準信号時間期間に関連付けられたワイヤレスデバイスのセットに指示を送信する場合がある。
【０１０７】
[0117]図１１は、本開示の様々な態様による、共有スペクトル上の基準信号の送信をサポートするワイヤレスデバイス１１００のブロック図を示す。ワイヤレスデバイス１１００は、図１〜図１０を参照して記載されたワイヤレスデバイス１０００又は基地局１０５の態様の一例であり得る。ワイヤレスデバイス１１００は、受信機１００５−ａ、基地局ＳＲＳ送信モジュール１０１０−ａ、又は送信機１０１５−ａを含む場合がある。ワイヤレスデバイス１１００は、プロセッサを含む場合もある。これらの構成要素の各々は、互いと通信している場合がある。基地局ＳＲＳ送信モジュール１０１０−ａは、基準信号スケジューラ１１０５と、ＢＳ基準信号マネージャ１１１０とを含む場合もある。
【０１０８】
[0118]受信機１００５−ａは、基地局ＳＲＳ送信モジュール１０１０−ａ及びワイヤレスデバイス１１００の他の構成要素に渡される場合がある情報を受信する場合がある。基地局ＳＲＳ送信モジュール１０１０−ａは、図１０を参照して記載された動作を実施する場合がある。送信機１０１５−ａは、ワイヤレスデバイス１１００の他の構成要素から受け取った信号を送信する場合がある。
【０１０９】
[0119]基準信号スケジューラ１１０５は、図２〜図５を参照して記載されたように、基準信号を送信するようにスケジュールされるワイヤレスデバイスのセットを識別する場合がある。ＢＳ基準信号マネージャ１１１０は、図２〜図５を参照して記載されたように、アップリンク送信時間期間に対する基準信号を送信するための基準信号時間期間を決定する場合がある。
【０１１０】
[0120]図１２は、本開示の様々な態様による、共有スペクトル上の基準信号の送信をサポートする、ワイヤレスデバイス１０００又はワイヤレスデバイス１１００の構成要素であり得る、基地局ＳＲＳ送信モジュールモジュール１０１０−ｂのブロック図１２００を示す。基地局ＳＲＳ送信モジュール１０１０−ｂは、図１０〜図１１を参照して記載された基地局ＳＲＳ送信モジュール１０１０の態様の一例であり得る。基地局ＳＲＳ送信モジュール１０１０−ｂは、基準信号スケジューラ１１０５−ａと、ＢＳ基準信号マネージャ１１１０−ａとを含む場合がある。これらのモジュールの各々は、図１１を参照して記載された機能を実施する場合がある。
【０１１１】
[0121]図１３は、本開示の様々な態様による、共有スペクトル上の基準信号の送信をサポートする、基地局１０５を含むシステム１３００のブロック図を示す。システム１３００は、図１、図２、及び図１０〜図１２を参照して記載されたワイヤレスデバイス１０００、ワイヤレスデバイス１１００、又は基地局１０５の一例であり得る、基地局１０５−ｃを含む場合がある。基地局１０５−ｃは、図１０〜図１２を参照して記載された基地局ＳＲＳ送信モジュール１０１０の一例であり得る、基地局ＳＲＳ送信モジュール１３１０を含む場合がある。基地局１０５−ｃは、通信を送信するための構成要素と通信を受信するための構成要素とを含む、双方向音声及びデータ通信用の構成要素を含む場合もある。例えば、基地局１０５−ｃは、ＵＥ１１５−ｅ、ＵＥ１１５−ｆ、基地局１０５−ｄ、及び基地局１０５−ｅと双方向に通信する場合がある。
【０１１２】
[0122]場合によっては、基地局１０５−ｃは、１つ又は複数の有線バックホールリンクを有する場合がある。基地局１０５−ｃは、コアネットワーク１３０への有線バックホールリンク（例えば、Ｓ１インターフェースなど）を有する場合がある。基地局１０５−ｃは、基地局間バックホールリンク（例えば、Ｘ２インターフェース）を介して、基地局１０５−ｄ及び基地局１０５−ｅなどの他の基地局１０５と通信する場合もある。基地局１０５の各々は、同じか又は異なるワイヤレス通信技術を使用して、ＵＥ１１５と通信する場合がある。場合によっては、基地局１０５−ｃは、基地局通信モジュール１３２５を利用して、基地局１０５−ｄ及び／又は基地局１０５−ｅなどの他の基地局と通信する場合がある。幾つかの例では、基地局通信モジュール１３２５は、基地局１０５のうちの幾つかの間の通信を実現するために、ＬＴＥ／ＬＴＥ−Ａワイヤレス通信ネットワーク技術内のＸ２インターフェースを提供する場合がある。幾つかの例では、基地局１０５−ｃは、コアネットワーク１３０を介して他の基地局と通信する場合がある。場合によっては、基地局１０５−ｃは、ネットワーク通信モジュール１３３０を介してコアネットワーク１３０と通信する場合がある。
【０１１３】
[0123]基地局１０５−ｃは、プロセッサ１３０５と、（ソフトウェア（ＳＷ）１３２０を含む）メモリ１３１５と、トランシーバ１３３５と、アンテナ１３４０とを含む場合があり、それらの各々は、（例えば、バスシステム１３４５を介して）互いに直接的又は間接的に通信している場合がある。トランシーバ１３３５は、アンテナ１３４０を介して、マルチモードデバイスであり得るＵＥ１１５と双方向に通信するように構成される場合がある。トランシーバ１３３５（又は基地局１０５−ｃの他の構成要素）は、アンテナ１３４０を介して、１つ又は複数の他の基地局（図示せず）と双方向に通信するように構成される場合もある。トランシーバ１３３５は、パケットを変調し、変調されたパケットを送信用にアンテナ１３４０に供給し、アンテナ１３４０から受信されたパケットを復調するように構成されたモデムを含む場合がある。基地局１０５−ｃは、各々が１つ又は複数の関連付けられたアンテナ１３４０を有する複数のトランシーバ１３３５を含む場合がある。トランシーバは、図１０の組み合わされた受信機１００５及び送信機１０１５の一例であり得る。
【０１１４】
[0124]メモリ１３１５は、ＲＡＭとＲＯＭとを含む場合がある。メモリ１３１５は、実行されると、本明細書に記載された様々な機能（例えば、基準信号の送信を管理するための技法、カバレージ増強技法を選択すること、呼処理、データベース管理、メッセージルーティングなど）をプロセッサ１３０５に実施させるように構成された命令を含んでいる、コンピュータ可読、コンピュータ実行可能ソフトウェアコード１３２０を記憶する場合もある。代替として、ソフトウェア１３２０は、プロセッサ１３０５によって直接的に実行可能でないが、例えば、コンパイルされ実行されると、本明細書に記載された機能をコンピュータに実施させるように構成される場合がある。プロセッサ１３０５は、インテリジェントハードウェアデバイス、例えば、ＣＰＵ、マイクロコントローラ、ＡＳＩＣなどを含む場合がある。プロセッサ１３０５は、エンコーダ、キュー処理モジュール、ベースバンドプロセッサ、無線ヘッドコントローラ、デジタル信号プロセッサ（ＤＳＰ）などの様々な専用プロセッサを含む場合がある。
【０１１５】
[0125]基地局通信モジュール１３２５は、他の基地局１０５との通信を管理する場合がある。場合によっては、通信管理モジュールは、他の基地局１０５と協働してＵＥ１１５との通信を制御するためのコントローラ又はスケジューラを含む場合がある。例えば、基地局通信モジュール１３２５は、ビームフォーミング又はジョイント送信などの様々な干渉軽減技法のために、ＵＥ１１５への送信向けのスケジューリングを調整する場合がある。
【０１１６】
[0126]ワイヤレスデバイス６００、ワイヤレスデバイス７００、ワイヤレスデバイス１０００、ワイヤレスデバイス１１００、ＳＲＳ送信モジュール６１０−ｂ、及び基地局ＳＲＳ送信モジュール１０１０−ｂの構成要素は、ハードウェア内で適用可能な機能の一部又は全部を実施するように適合された少なくとも１つのＡＳＩＣを用いて、個々に又は一括して実装される場合がある。代替として、それらの機能は、少なくとも１つのＩＣ上で、１つ又は複数の他の処理ユニット（又はコア）によって実施される場合がある。他の例では、当技術分野で知られている任意の方式でプログラムされる場合がある、他のタイプの集積回路（例えば、構造化／プラットフォームＡＳＩＣ、フィールドプログラマブルゲートアレイ（ＦＰＧＡ）、又は別のセミカスタムＩＣ）が使用される場合がある。各ユニットの機能はまた、全体的又は部分的に、１つ又は複数の汎用プロセッサ又は特定用途向けプロセッサによって実行されるようにフォーマットされた、メモリに組み込まれた命令を用いて実装される場合がある。
【０１１７】
[0127]図１４は、本開示の様々な態様による、共有スペクトル上の基準信号の送信用の方法１４００を示すフローチャートを示す。方法１４００の動作は、図１〜図１３を参照して記載されたように、ＵＥ１１５又はその構成要素によって実装される場合がある。例えば、方法１４００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。
【０１１８】
[0128]ブロック１４０５において、ＵＥ１１５は、図２〜図５を参照して記載されたように、共有無線周波数スペクトル帯域に関連付けられたアップリンク送信時間期間を識別する場合がある。幾つかの例では、ブロック１４０５の動作は、図７を参照して記載されたように、アップリンク識別器７０５によって実施される場合がある。
【０１１９】
[0129]ブロック１４１０において、ＵＥ１１５は、図２〜図５を参照して記載されたように、ダウンリンク送信内でインジケータを受信する場合があり、インジケータは基準信号のアップリンク送信に関連付けられる。幾つかの例では、ブロック１４１０の動作は、図７を参照して記載されたように、インジケータ識別器７１０によって実施される場合がある。
【０１２０】
[0130]ブロック１４１５において、ＵＥ１１５は、図２〜図５を参照して記載されたように、アップリンク送信時間期間に対する基準信号時間期間を識別する場合がある。幾つかの例では、ブロック１４１５の動作は、図７を参照して記載されたように、基準信号マネージャ７１５によって実施される場合がある。
【０１２１】
[0131]ブロック１４２０において、ＵＥ１１５は、図２〜図５を参照して記載されたように、識別された基準信号時間期間の間に共有無線周波数スペクトル帯域にわたり基準信号を送信する場合がある。幾つかの例では、ブロック１４２０の動作は、図６を参照して上述されたように、送信機６１５によって実施される場合がある。
【０１２２】
[0132]図１５は、本開示の様々な態様による、共有スペクトル上の基準信号の送信用の方法１５００を示すフローチャートを示す。方法１５００の動作は、図１〜図１３を参照して記載されたように、ＵＥ１１５又はその構成要素によって実装される場合がある。例えば、方法１５００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。方法１５００はまた、図１４の方法１４００の態様を組み込む場合がある。
【０１２３】
[0133]ブロック１５０５において、ＵＥ１１５は、図２〜図５を参照して記載されたように、共有無線周波数スペクトル帯域に関連付けられたアップリンク送信時間期間を識別する場合がある。幾つかの例では、ブロック１５０５の動作は、図７を参照して記載されたように、アップリンク識別器７０５によって実施される場合がある。
【０１２４】
[0134]ブロック１５１０において、ＵＥ１１５は、図２〜図５を参照して記載されたように、ダウンリンク送信内でインジケータを受信する場合があり、インジケータは基準信号のアップリンク送信に関連付けられる。幾つかの例では、ブロック１５１０の動作は、図７を参照して記載されたように、インジケータ識別器７１０によって実施される場合がある。
【０１２５】
[0135]ブロック１５１５において、ＵＥ１１５は、図２〜図５を参照して記載されたように、アップリンク送信時間期間に対する基準信号時間期間を識別する場合がある。幾つかの例では、ブロック１５１５の動作は、図７を参照して記載されたように、基準信号マネージャ７１５によって実施される場合がある。
【０１２６】
[0136]ブロック１５２０において、ＵＥ１１５は、図２〜図５を参照して記載されたように、アップリンク送信時間期間の最後にあるように基準信号時間期間を決定する場合がある。幾つかの例では、ブロック１５２０の動作は、図７を参照して記載されたように、基準信号マネージャ７１５によって実施される場合がある。
【０１２７】
[0137]ブロック１５２５において、ＵＥ１１５は、図２〜図５を参照して記載されたように、割り当てられたＰＵＳＣＨの最後のシンボル又はＰＵＣＣＨの最後の１つ若しくは２つのシンボルの間にあるように基準信号時間期間を決定する場合がある。幾つかの例では、ブロック１５２５の動作は、図７を参照して記載されたように、基準信号マネージャ７１５によって実施される場合がある。
【０１２８】
[0138]ブロック１５３０において、ＵＥ１１５は、図２〜図５を参照して記載されたように、識別された基準信号時間期間の間に共有無線周波数スペクトル帯域にわたり基準信号を送信する場合がある。幾つかの例では、ブロック１５３０の動作は、図６を参照して記載されたように、送信機６１５によって実施される場合がある。
【０１２９】
[0139]図１６は、本開示の様々な態様による、共有スペクトル上の基準信号の送信用の方法１６００を示すフローチャートを示す。方法１６００の動作は、図１〜図１３を参照して記載されたように、ＵＥ１１５又はその構成要素によって実装される場合がある。例えば、方法１６００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。方法１６００はまた、図１４〜図１５の方法１４００及び１５００の態様を組み込む場合がある。
【０１３０】
[0140]ブロック１６０５において、ＵＥ１１５は、図２〜図５を参照して記載されたように、共有無線周波数スペクトル帯域に関連付けられたアップリンク送信時間期間を識別する場合がある。幾つかの例では、ブロック１６０５の動作は、図７を参照して記載されたように、アップリンク識別器７０５によって実施される場合がある。
【０１３１】
[0141]ブロック１６１０において、ＵＥ１１５は、図２〜図５を参照して記載されたように、ダウンリンク送信内でインジケータを受信する場合があり、インジケータは基準信号のアップリンク送信に関連付けられる。幾つかの例では、ブロック１６１０の動作は、図７を参照して記載されたように、インジケータ識別器７１０によって実施される場合がある。
【０１３２】
[0142]ブロック１６１５において、ＵＥ１１５は、図２〜図５を参照して記載されたように、アップリンク送信時間期間に対する基準信号時間期間を識別する場合がある。幾つかの例では、ブロック１６１５の動作は、図７を参照して記載されたように、基準信号マネージャ７１５によって実施される場合がある。
【０１３３】
[0143]ブロック１６２０において、ＵＥ１１５は、図２〜図５を参照して記載されたように、アップリンク送信時間期間の最初にあるように基準信号時間期間を決定する場合がある。幾つかの例では、ブロック１６２０の動作は、図７を参照して記載されたように、基準信号マネージャ７１５によって実施される場合がある。
【０１３４】
[0144]ブロック１６２５において、ＵＥ１１５は、図２〜図５を参照して記載されたように、ＤＭＲＳベースのプリアンブルとして基準信号を送信する場合がある。幾つかの例では、ブロック１６２５の動作は、図６を参照して記載されたように、送信機６１５によって実施される場合がある。
【０１３５】
[0145]ブロック１６３０において、ＵＥ１１５は、図２〜図５を参照して記載されたように、識別された基準信号時間期間の間に共有無線周波数スペクトル帯域にわたり基準信号を送信する場合がある。幾つかの例では、ブロック１６３０の動作は、図６を参照して記載されたように、送信機６１５によって実施される場合がある。
【０１３６】
[0146]図１７は、本開示の様々な態様による、共有スペクトル上の基準信号の送信用の方法１７００を示すフローチャートを示す。方法１７００の動作は、図１〜図１３を参照して記載されたように、ＵＥ１１５又はその構成要素によって実装される場合がある。例えば、方法１７００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。方法１７００はまた、図１４〜図１６の方法１４００、１５００、及び１６００の態様を組み込む場合がある。
【０１３７】
[0147]ブロック１７０５において、ＵＥ１１５は、図２〜図５を参照して記載されたように、共有無線周波数スペクトル帯域に関連付けられたアップリンク送信時間期間を識別する場合がある。幾つかの例では、ブロック１７０５の動作は、図７を参照して記載されたように、アップリンク識別器７０５によって実施される場合がある。
【０１３８】
[0148]ブロック１７１０において、ＵＥ１１５は、図２〜図５を参照して記載されたように、ダウンリンク送信内でインジケータを受信する場合があり、インジケータは基準信号のアップリンク送信に関連付けられる。幾つかの例では、ブロック１７１０の動作は、図７を参照して記載されたように、インジケータ識別器７１０によって実施される場合がある。
【０１３９】
[0149]ブロック１７１５において、ＵＥ１１５は、図２〜図５を参照して記載されたように、アップリンク送信時間期間に対する基準信号時間期間を識別する場合がある。幾つかの例では、ブロック１７１５の動作は、図７を参照して記載されたように、基準信号マネージャ７１５によって実施される場合がある。
【０１４０】
[0150]ブロック１７２０において、ＵＥ１１５は、図２〜図５を参照して記載されたように、アップリンク送信時間期間の最初より前であるように基準信号時間期間を決定する場合がある。場合によっては、基準信号時間期間は、特殊サブフレームの間にあり、少なくとも１つのシンボル期間を備える。幾つかの例では、ブロック１７２０の動作は、図７を参照して記載されたように、基準信号マネージャ７１５によって実施される場合がある。
【０１４１】
[0151]ブロック１７２５において、ＵＥ１１５は、図２〜図５を参照して記載されたように、識別された基準信号時間期間の間に共有無線周波数スペクトル帯域にわたり基準信号を送信する場合がある。幾つかの例では、ブロック１７２５の動作は、図６を参照して記載されたように、送信機６１５によって実施される場合がある。
【０１４２】
[0152]図１８は、本開示の様々な態様による、共有スペクトル上の基準信号の送信用の方法１８００を示すフローチャートを示す。方法１８００の動作は、図１〜図１３を参照して記載されたように、ＵＥ１１５又はその構成要素によって実装される場合がある。例えば、方法１８００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。方法１８００はまた、図１４〜図１７の方法１４００、１５００、１６００、及び１７００の態様を組み込む場合がある。
【０１４３】
[0153]ブロック１８０５において、ＵＥ１１５は、図２〜図５を参照して記載されたように、共有無線周波数スペクトル帯域に関連付けられたアップリンク送信時間期間を識別する場合がある。場合によっては、ＵＥ１１５は、アップリンク送信時間期間がＵＥ１１５向けにスケジュールされていないことを識別する場合がある。幾つかの例では、ブロック１８０５の動作は、図７を参照して記載されたように、アップリンク識別器７０５によって実施される場合がある。
【０１４４】
[0154]ブロック１８１０において、ＵＥ１１５は、図２〜図５を参照して記載されたように、ダウンリンク送信内でインジケータを受信する場合があり、インジケータは基準信号のアップリンク送信に関連付けられる。幾つかの例では、ブロック１８１０の動作は、図７を参照して記載されたように、インジケータ識別器７１０によって実施される場合がある。
【０１４５】
[0155]ブロック１８１５において、ＵＥ１１５は、図２〜図５を参照して記載されたように、アップリンク送信時間期間に対する基準信号時間期間を識別する場合がある。幾つかの例では、ブロック１８１５の動作は、図７を参照して記載されたように、基準信号マネージャ７１５によって実施される場合がある。
【０１４６】
[0156]ブロック１８２０において、ＵＥ１１５は、図２〜図５を参照して記載されたように、アップリンク送信時間期間がＵＥ１１５向けにスケジュールされていないことに少なくとも部分的に基づいて、特殊サブフレームの一部分の間にあるように基準信号時間期間を決定する場合もある。幾つかの例では、ブロック１８２０の動作は、図７を参照して記載されたように、アップリンク識別器７０５によって実施される場合がある。
【０１４７】
[0157]ブロック１８２５において、ＵＥ１１５は、図２〜図５を参照して記載されたように、識別された基準信号時間期間の間に共有無線周波数スペクトル帯域にわたり基準信号を送信する場合がある。幾つかの例では、ブロック１８２５の動作は、図６を参照して記載されたように、送信機６１５によって実施される場合がある。
【０１４８】
[0158]図１９は、本開示の様々な態様による、共有スペクトル上の基準信号の送信用の方法１９００を示すフローチャートを示す。方法１９００の動作は、図１〜図１３を参照して記載されたように、ＵＥ１１５又はその構成要素によって実装される場合がある。例えば、方法１９００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。方法１９００はまた、図１４〜図１８の方法１４００、１５００、１６００、１７００、及び１８００の態様を組み込む場合がある。
【０１４９】
[0159]ブロック１９０５において、ＵＥ１１５は、図２〜図５を参照して記載されたように、共有無線周波数スペクトル帯域に関連付けられたアップリンク送信時間期間を識別する場合がある。幾つかの例では、ブロック１９０５の動作は、図７を参照して記載されたように、アップリンク識別器７０５によって実施される場合がある。
【０１５０】
[0160]ブロック１９１０において、ＵＥ１１５は、図２〜図５を参照して記載されたように、ダウンリンク送信内でインジケータを受信する場合があり、インジケータは基準信号のアップリンク送信に関連付けられる。幾つかの例では、ブロック１９１０の動作は、図７を参照して記載されたように、インジケータ識別器７１０によって実施される場合がある。
【０１５１】
[0161]ブロック１９１５において、ＵＥ１１５は、図２〜図５を参照して記載されたように、アップリンク送信時間期間に対する基準信号時間期間を識別する場合がある。場合によっては、基準信号時間期間は、ＣＣＡ免除送信時間期間を備える。幾つかの例では、ブロック１９１５の動作は、図７を参照して記載されたように、基準信号マネージャ７１５によって実施される場合がある。
【０１５２】
[0162]ブロック１９２０において、ＵＥ１１５は、図２〜図５を参照して記載されたように、識別された基準信号時間期間の間に共有無線周波数スペクトル帯域にわたり基準信号を送信する場合がある。幾つかの例では、ブロック１９２０の動作は、図６を参照して記載されたように、送信機６１５によって実施される場合がある。
【０１５３】
[0163]図２０は、本開示の様々な態様による、共有スペクトル上の基準信号の送信用の方法２０００を示すフローチャートを示す。方法２０００の動作は、図１〜図１３を参照して記載されたように、ＵＥ１１５又はその構成要素によって実装される場合がある。例えば、方法２０００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。方法２０００はまた、図１４〜図１９の方法１４００、１５００、１６００、１７００、１８００、及び１９００の態様を組み込む場合がある。
【０１５４】
[0164]ブロック２００５において、ＵＥ１１５は、図２〜図５を参照して記載されたように、共有無線周波数スペクトル帯域に関連付けられたアップリンク送信時間期間を識別する場合がある。場合によっては、インジケータは、周期性、又はオフセット、又は周波数ホッピングパターンを備える。幾つかの例では、ブロック２００５の動作は、図７を参照して記載されたように、アップリンク識別器７０５によって実施される場合がある。
【０１５５】
[0165]ブロック２０１０において、ＵＥ１１５は、図２〜図５を参照して記載されたように、ダウンリンク送信内でインジケータを受信する場合があり、インジケータは基準信号のアップリンク送信に関連付けられる。幾つかの例では、ブロック２０１０の動作は、図７を参照して記載されたように、インジケータ識別器７１０によって実施される場合がある。
【０１５６】
[0166]ブロック２０１５において、ＵＥ１１５は、図２〜図５を参照して記載されたように、アップリンク送信時間期間に対する基準信号時間期間を識別する場合がある。場合によっては、基準信号時間期間は、特殊サブフレームの一部分を備える。幾つかの例では、ブロック２０１５の動作は、図７を参照して記載されたように、基準信号マネージャ７１５によって実施される場合がある。
【０１５７】
[0167]ブロック２０２０において、ＵＥ１１５は、図２〜図５を参照して記載されたように、識別された基準信号時間期間の間に共有無線周波数スペクトル帯域にわたり基準信号を送信する場合がある。幾つかの例では、ブロック２０２０の動作は、図６を参照して記載されたように、送信機６１５によって実施される場合がある。
【０１５８】
[0168]図２１は、本開示の様々な態様による、共有スペクトル上の基準信号の送信用の方法２１００を示すフローチャートを示す。方法２１００の動作は、図１〜図１３を参照して記載されたように、ＵＥ１１５又はその構成要素によって実装される場合がある。例えば、方法２１００の動作は、図６〜図９を参照して記載されたように、ＳＲＳ送信モジュール６１０によって実施される場合がある。幾つかの例では、ＵＥ１１５は、コードのセットを実行して、下記に記載される機能を実施するようにＵＥ１１５の機能要素を制御する場合がある。追加又は代替として、ＵＥ１１５は、専用ハードウェアを使用して、下記に記載される機能の態様を実施する場合がある。方法２１００はまた、図１４〜図２０の方法１４００、１５００、１６００、１７００、１８００、１９００、及び２０００の態様を組み込む場合がある。
【０１５９】
[0169]ブロック２１０５において、ＵＥ１１５は、図２〜図５を参照して記載されたように、共有無線周波数スペクトル帯域に関連付けられたアップリンク送信時間期間を識別する場合がある。幾つかの例では、ブロック２１０５の動作は、図７を参照して記載されたように、アップリンク識別器７０５によって実施される場合がある。
【０１６０】
[0170]ブロック２１１０において、ＵＥ１１５は、図２〜図５を参照して記載されたように、ダウンリンク送信内でインジケータを受信する場合があり、インジケータは基準信号のアップリンク送信に関連付けられる。場合によっては、インジケータは、周期性、又はオフセット、又は周波数ホッピングパターンを備える。幾つかの例では、ブロック２１１０の動作は、図７を参照して記載されたように、インジケータ識別器７１０によって実施される場合がある。
【０１６１】
[0171]ブロック２１１５において、ＵＥ１１５は、図２〜図５を参照して記載されたように、アップリンク送信時間期間に対する基準信号時間期間を識別する場合がある。場合によっては、特殊ＳＲＳフレームは、基準信号時間期間を備える。幾つかの例では、ブロック２１１５の動作は、図７を参照して記載されたように、基準信号マネージャ７１５によって実施される場合がある。
【０１６２】
[0172]ブロック２１２０において、ＵＥ１１５は、図２〜図５を参照して記載されたように、識別された基準信号時間期間の間に共有無線周波数スペクトル帯域にわたり基準信号を送信する場合がある。幾つかの例では、ブロック２１２０の動作は、図６を参照して記載されたように、送信機６１５によって実施される場合がある。
【０１６３】
[0173]図２２は、本開示の様々な態様による、共有スペクトル上の基準信号の送信用の方法２２００を示すフローチャートを示す。方法２２００の動作は、図１〜図１３を参照しながら説明したように、基地局１０５又はその構成要素によって実装され得る。例えば、方法２２００の動作は、図１０〜図１３を参照して記載されたように、基地局ＳＲＳ送信モジュール１０１０によって実施される場合がある。幾つかの例では、基地局１０５は、コードのセットを実行して、下記に記載される機能を実施するように基地局１０５の機能要素を制御する場合がある。追加又は代替として、基地局１０５は、専用ハードウェアを使用して、下記に記載される機能の態様を実施する場合がある。方法２２００はまた、図１４〜図２１の方法１４００、１５００、１６００、１７００、１８００、１９００、２０００、及び２１００の態様を組み込む場合がある。
【０１６４】
[0174]ブロック２２０５において、基地局１０５は、図２〜図５を参照して記載されたように、基準信号を送信するようにスケジュールされるワイヤレスデバイスのセットを識別する場合がある。幾つかの例では、ブロック２２０５の動作は、図１１を参照して記載されたように、基準信号スケジューラ１１０５によって実施される場合がある。
【０１６５】
[0175]ブロック２２１０において、基地局１０５は、図２〜図５を参照して記載されたように、アップリンク送信時間期間に対する基準信号を送信するための基準信号時間期間を決定する場合がある。幾つかの例では、ブロック２２１０の動作は、図１１を参照して記載されたように、ＢＳ基準信号マネージャ１１１０によって実施される場合がある。
【０１６６】
[0176]ブロック２２１５において、基地局１０５は、図２〜図５を参照して記載されたように、基準信号時間に関連付けられたワイヤレスデバイスのセットに指示を送信する場合がある。幾つかの例では、ブロック２２１５の動作は、図１０を参照して記載されたように、送信機１０１５によって実施される場合がある。
【０１６７】
[0177]方法１４００、１５００、１６００、１７００、１８００、１９００、２０００、２１００、及び２２００は、共有スペクトル上の基準信号の送信を実現する場合がある。方法１４００、１５００、１６００、１７００、１８００、１９００、２０００、２１００、及び２２００は可能な実装形態を記載していること、並びに、動作及びステップは、他の実装形態が可能であるように、並べ替えられるか、又は場合によっては修正される場合があることに留意されたい。幾つかの例では、方法１４００、１５００、１６００、１７００、１８００、１９００、２０００、２１００、及び２２００のうちの２つ以上からの態様が組み合わされる場合がある。
【０１６８】
[0178]本明細書の説明は例を与えるものであり、特許請求の範囲に記載される範囲、適用可能性、又は例を限定するものではない。本開示の範囲から逸脱することなく、説明された要素の機能及び構成において変更が行われる場合がある。様々な例は、必要に応じて、様々な手順又は構成要素を省略、置換、又は追加する場合がある。また、幾つかの例に関して記載された特徴は、他の例において組み合わされる場合がある。
【０１６９】
[0179]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、及び他のシステムなどの様々なワイヤレス通信システムに使用される場合がある。「システム」及び「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装する場合がある。ＣＤＭＡ２０００は、ＩＳ−２０００規格と、ＩＳ−９５規格と、ＩＳ−８５６規格とをカバーする。ＩＳ−２０００リリース０及びＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形とを含む。時分割多元接続（ＴＤＭＡ）システムは、モバイル通信用グローバルシステム（ＧＳＭ（登録商標））などの無線技術を実装する場合がある。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装する場合がある。ＵＴＲＡ及びＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）及びＬＴＥアドバンスト（ＬＴＥ−ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ユニバーサルモバイルテレコミュニケーションシステム（ＵＭＴＳ）、ＬＴＥ、ＬＴＥ−ａ、及びモバイル通信用グローバルシステム（ＧＳＭ）は、「第３世代パートナーシッププロジェクト」（３ＧＰＰ）と称する組織からの文書に記載されている。ＣＤＭＡ２０００及びＵＭＢは、「第３世代パートナーシッププロジェクト２」（３ＧＰＰ２）と称する組織からの文書に記載されている。本明細書に記載された技法は、上述されたシステム及び無線技術、並びに他のシステム及び無線技術に使用される場合がある。しかしながら、本明細書の説明は、例としてＬＴＥシステムを記載し、上記の説明の大部分においてＬＴＥ用語が使用されるが、本技法はＬＴＥ適用例以外に適用可能である。
【０１７０】
[0180]本明細書に記載されたそのようなネットワークを含むＬＴＥ／ＬＴＥ−ａネットワークでは、発展型ノードＢ（ｅＮＢ）という用語は、概して、基地局を記載するために使用される場合がある。本明細書に記載された１つ又は複数のワイヤレス通信システムは、異なるタイプの発展型ノードＢ（ｅＮＢ）が様々な地理的領域にカバレージを与える、異種ＬＴＥ／ＬＴＥ−ａネットワークを含む場合がある。例えば、各ｅＮＢ又は基地局は、マクロセル、スモールセル、又は他のタイプのセルに通信カバレージを与える場合がある。「セル」という用語は、状況に応じて、基地局、基地局に関連するキャリア若しくはコンポーネントキャリア、又はキャリア若しくは基地局のカバレージエリア（例えば、セクタなど）を記載するために使用することができる３ＧＰＰ用語である。
【０１７１】
[0181]基地局は、トランシーバ基地局、無線基地局、アクセスポイント、無線トランシーバ、ノードＢ、ｅノードＢ（ｅＮＢ）、ホームノードＢ、ホームｅノードＢ、又は他の何らかの適切な用語を含む場合があるか、又はそのように当業者によって呼ばれる場合がある。基地局のための地理的カバレージエリアは、カバレージエリアの一部分のみを構成するセクタに分割される場合がある。本明細書に記載された１つ又は複数のワイヤレス通信システムは、異なるタイプの基地局（例えば、マクロセル基地局又はスモールセル基地局）を含む場合がある。本明細書に記載されたＵＥは、マクロｅＮＢ、スモールセルｅＮＢ、リレー基地局などを含む、様々なタイプの基地局及びネットワーク機器と通信することができる場合がある。異なる技術のための重複する地理的カバレージエリアが存在する場合がある。
【０１７２】
[0182]マクロセルは、概して、比較的大きい地理的エリア（例えば、半径数キロメートル）をカバーし、ネットワークプロバイダのサービスに加入しているＵＥによる無制限アクセスを可能にする場合がある。スモールセルは、マクロセルと比較して、マクロセルと同じか又は異なる（例えば、認可、無認可などの）周波数帯域内で動作する場合がある低電力基地局である。様々な例によれば、スモールセルには、ピコセル、フェムトセル、及びマイクロセルが含まれる場合がある。ピコセルは、例えば、小さい地理的エリアをカバーする場合がある、ネットワークプロバイダのサービスに加入しているＵＥによる無制限アクセスを可能にするする場合がある。フェムトセルも、小さい地理的エリア（例えば、自宅）をカバーする場合があり、フェムトセルとの関連を有するＵＥ（例えば、限定加入者グループ（ＣＳＧ）内のＵＥ、自宅内のユーザのためのＵＥなど）による制限付きアクセスを実現する場合がある。マクロセルのためのｅＮＢは、マクロｅＮＢと呼ばれる場合がある。スモールセルのためのｅＮＢは、スモールセルｅＮＢ、ピコｅＮＢ、フェムトｅＮＢ、又はホームｅＮＢと呼ばれる場合がある。ｅＮＢは、１つ又は複数（例えば、２つ、３つ、４つなど）のセル（例えば、コンポーネントキャリア）をサポートする場合がある。ＵＥは、マクロｅＮＢ、スモールセルｅＮＢ、リレー基地局などを含む、様々なタイプの基地局及びネットワーク機器と通信することができる場合がある。
【０１７３】
[0183]本明細書に記載された１つ又は複数のワイヤレス通信システムは、同期動作又は非同期動作をサポートする場合がある。同期動作の場合、基地局は、同様のフレームタイミングを有する場合があり、異なる基地局からの送信は、時間的にほぼ整合される場合がある。非同期動作の場合、基地局は、異なるフレームタイミングを有する場合があり、異なる基地局からの送信は、時間的に整合されない場合がある。本明細書に記載された技法は、同期動作又は非同期動作のいずれかに使用される場合がある。
【０１７４】
[0184]本明細書に記載されたダウンリンク送信は順方向リンク送信と呼ばれる場合もあり、アップリンク送信は逆方向リンク送信と呼ばれる場合もある。例えば、図１及び図２のワイヤレス通信システム１００とワイヤレス通信サブシステム２００とを含む本明細書に記載された各通信リンクは、１つ又は複数のキャリアを含む場合があり、各キャリアは、複数のサブキャリア（例えば、異なる周波数の波形信号）から構成される信号であり得る。各変調信号は、異なるサブキャリア上で送られる場合があり、制御情報（例えば、基準信号、制御チャネルなど）、オーバーヘッド情報、ユーザデータなどを搬送する場合がある。本明細書に記載された通信リンク（例えば、図１の通信リンク１２５）は、（例えば、対スペクトルリソースを使用する）ＦＤＤ又は（例えば、不対スペクトルリソースを使用する）ＴＤＤ動作を使用して、双方向通信を送信する場合がある。ＦＤＤ（例えば、フレーム構造タイプ１）及びＴＤＤ（例えば、フレーム構造タイプ２）について、フレーム構造が定義される場合がある。
【０１７５】
[0185]添付の図面に関して本明細書に記載された説明は、例示的な構成を記載しており、実装され得る、又は特許請求の範囲内に入るすべての例を表すとは限らない。本明細書で使用される「例示的」という用語は、「例、事例、又は例示として働くこと」を意味し、「好ましい」又は「他の例よりも有利な」を意味しない。詳細な説明は、記載された技法の理解を与えるための具体的な詳細を含む。しかしながら、これらの技法は、これらの具体的な詳細なしに実践される場合がある。幾つかの事例では、記載された例の概念を不明瞭にすることを回避するために、よく知られている構造及びデバイスがブロック図の形式で示される。
【０１７６】
[0186]添付の図では、同様の構成要素又は特徴は、同じ参照ラベルを有する場合がある。更に、同じタイプの様々な構成要素は、参照ラベルの後に、ダッシュと、同様の構成要素を区別する第２のラベルとを続けることによって区別される場合がある。本明細書において第１の参照ラベルのみが使用される場合、その説明は、第２の参照ラベルにかかわらず、同じ第１の参照ラベルを有する同様の構成要素のいずれにも適用可能である。
【０１７７】
[0187]本明細書に記載された情報及び信号は、多種多様な技術及び技法のいずれかを使用して表される場合がある。例えば、上記の説明全体にわたって参照される場合があるデータ、命令、コマンド、情報、信号、ビット、シンボル、及びチップは、電圧、電流、電磁波、磁場若しくは磁気粒子、光場若しくは光学粒子、又はそれらの任意の組合せによって表される場合がある。
【０１７８】
[0188]本明細書の開示に関して記載された様々な例示的なブロック及びモジュールは、汎用プロセッサ、ＤＳＰ、ＡＳＩＣ、ＦＰＧＡ若しくは他のプログラマブル論理デバイス、個別ゲート若しくはトランジスタ論理回路、個別ハードウェア構成要素、又は本明細書に記載された機能を実施するように設計されたそれらの任意の組合せを用いて実装又は実施される場合がある。汎用プロセッサはマイクロプロセッサであり得るが、代替として、プロセッサは、任意の従来のプロセッサ、コントローラ、マイクロコントローラ、又はステートマシンであり得る。プロセッサはまた、コンピューティングデバイスの組合せ（例えば、デジタル信号プロセッサ（ＤＳＰ）とマイクロプロセッサの組合せ、複数のマイクロプロセッサ、ＤＳＰコアと連携する１つ以上のマイクロプロセッサ、又は任意の他のそのような構成）として実装される場合がある。
【０１７９】
[0189]本明細書に記載された機能は、ハードウェア、プロセッサによって実行されるソフトウェア、ファームウェア、又はそれらの任意の組合せに実装される場合がある。プロセッサによって実行されるソフトウェアに実装される場合、機能は、１つ又は複数の命令又はコードとして、コンピュータ可読媒体上に記憶されるか、又はコンピュータ可読媒体を介して送信される場合がある。他の例及び実装形態は、本開示及び添付の特許請求の範囲の範囲及び趣旨内に入る。例えば、ソフトウェアの本質に起因して、上述された機能は、プロセッサ、ハードウェア、ファームウェア、ハードワイヤリング、又はこれらのいずれかの組合せによって実行されるソフトウェアを使用して実装され得る。機能を実装する特徴は、様々な物理位置に機能の部分が実装されるように分散されることを含め、様々な場所に物理的に配置される場合もある。特許請求の範囲を含めて、本明細書で使用される場合、「及び／又は」という用語は、２つ以上の項目の列挙内で使用されるとき、列挙された項目のうちのいずれか１つが単独で採用され得ること、又は列挙された項目のうちの２つ以上の任意の組合せが採用され得ることを意味する。例えば、構成が構成要素Ａ、Ｂ、及び／又はＣを含むものとして記載される場合、その構成は、Ａのみ、Ｂのみ、Ｃのみ、ＡとＢの組合せ、ＡとＣの組合せ、ＢとＣの組合せ、又はＡとＢとＣの組合せを含むことができる。また、特許請求の範囲を含めて、本明細書で使用される場合、項目の列挙（例えば、「のうちの少なくとも１つ」又は「のうちの１つ又は複数」などの句で終わる項目の列挙）内で使用される「又は」は、例えば、［Ａ、Ｂ、又はＣのうちの少なくとも１つ］の列挙が、Ａ又はＢ又はＣ又はＡＢ又はＡＣ又はＢＣ又はＡＢＣ（即ち、Ａ及びＢ及びＣ）を意味するような選言的列挙を示す。
【０１８０】
[0190]コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータ又は専用コンピュータによってアクセスすることができる任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭ又は他の光ディスクストレージ、磁気ディスクストレージ又は他の磁気ストレージデバイス、あるいは命令又はデータ構造の形態の所望のプログラムコード手段を搬送又は記憶するために使用することができ、汎用コンピュータ若しくは専用コンピュータ又は汎用プロセッサ若しくは専用プロセッサによってアクセスすることができる、任意の他の媒体を備えることができる。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、デジタル加入者回線（ＤＳＬ）、又は赤外線、無線、及びマイクロ波などのワイヤレス技術は、媒体の定義に含まれる。本明細書で使用するディスク（disk）及びディスク（disc）は、ＣＤ、レーザーディスク（登録商標）（disc）、光ディスク（disc）、デジタル多用途ディスク（disc）（ＤＶＤ）、フロッピー（登録商標）ディスク（disk）、及びＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１８１】
[0191]本明細書の説明は、当業者が本開示を作成又は使用することを可能にするように提供される。本開示の様々な修正は当業者には容易に明らかになり、本明細書で定義された一般原理は、本開示の範囲から逸脱することなく他の変形形態に適用される場合がある。従って、本開示は、本明細書に記載された例及び設計に限定されるべきでなく、本明細書で開示された原理及び新規の特徴に一致する最も広い範囲を与えられるべきである。
【図１】
2018520568.tif 000003
【図２】
2018520568.tif 000004
【図３】
2018520568.tif 000005
【図４Ａ】
2018520568.tif 000006
【図４Ｂ】
2018520568.tif 000007
【図４Ｃ】
2018520568.tif 000008
【図４Ｄ】
2018520568.tif 000009
【図４Ｅ】
2018520568.tif 000010
【図４Ｆ】
2018520568.tif 000011
【図４Ｇ】
2018520568.tif 000012
【図５】
2018520568.tif 000013
【図６】
2018520568.tif 000014
【図７】
2018520568.tif 000015
【図８】
2018520568.tif 000016
【図９】
2018520568.tif 000017
【図１０】
2018520568.tif 000018
【図１１】
2018520568.tif 000019
【図１２】
2018520568.tif 000020
【図１３】
2018520568.tif 000021
【図１４】
2018520568.tif 000022
【図１５】
2018520568.tif 000023
【図１６】
2018520568.tif 000024
【図１７】
2018520568.tif 000025
【図１８】
2018520568.tif 000026
【図１９】
2018520568.tif 000027
【図２０】
2018520568.tif 000028
【図２１】
2018520568.tif 000029
【図２２】
2018520568.tif 000030
【国際調査報告】
2018520568.tif 000031
2018520568.tif 000032
2018520568.tif 000033